(57)【特許請求の範囲】
【請求項１】
ワイヤレス通信のための方法であって、
チャネル状態情報基準信号（ＣＳＩ−ＲＳ）のために使われることになるアンテナポートの数を決定することと、
１つまたは複数のノードのための制御情報の送信のために、送信リソースユニットにおいてｎ個のリソースエレメントのグループを割り当てることと、ここで、前記割り当てることは、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視することと、
前記無視することの後に前記送信リソースユニットに残っている前記リソースエレメントの中から、ｎ個のリソースエレメントの前記グループを決定することと
を備える、
前記ノードのための前記制御情報を、ｎ個のリソースエレメントの前記割り当てられたグループに従って送信することとを備える、方法。
【請求項２】
サポートされるＣＳＩ−ＲＳポートの前記最高の可能な数は、８である、請求項１に記載の方法。
【請求項３】
ｎ＝４である、請求項２に記載の方法。
【請求項４】
前記無視することは、少なくとも２つの共通基準信号（ＣＲＳ）ポートに基づいて、ＣＲＳに対して指定された前記リソースエレメントを無視することをさらに備える、請求項１に記載の方法。
【請求項５】
前記ノードのための前記制御情報は、中継物理ダウンリンク制御チャネル（Ｒ−ＰＤＣＣＨ）を備える、請求項１に記載の方法。
【請求項６】
前記Ｒ−ＰＤＣＣＨは、共通基準信号（ＣＲＳ）ベースのＲ−ＰＤＣＣＨを備える、請求項５に記載の方法。
【請求項７】
前記送信リソースユニットは、物理リソースブロック（ＰＲＢ）を備える、請求項１に記載の方法。
【請求項８】
前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、請求項７に記載の方法。
【請求項９】
前記リソースエレメントの各々は、時間と周波数のリソースを備える、請求項１に記載の方法。
【請求項１０】
前記リソースエレメントの各々のための前記時間と周波数のリソースは、それぞれ１つのシンボルと１つのサブキャリアとを備える、請求項９に記載の方法。
【請求項１１】
ｎ個のリソースエレメントの前記グループの各々は、１つのシンボルとｎ個のサブキャリアとを備える、請求項１０に記載の方法。
【請求項１２】
ｎ個のリソースエレメントの前記グループを決定することは、前記送信リソースユニットのシンボルに対して、前記残りのリソースエレメントの中からのｎ個の連続的なリソースエレメントのセットを決定することを備える、請求項１に記載の方法。
【請求項１３】
アンテナポートの前記数は、１個、２個、４個、または８個のアンテナポートを備える、請求項１に記載の方法。
【請求項１４】
前記割り当てることは、
第１の中継ノードのための制御情報を、リソースエレメントの第１のグループに割り当てることと、
第２の中継ノードのための制御情報を、リソースエレメントの第２のグループに割り当てることとを備える、請求項１に記載の方法。
【請求項１５】
前記ＣＳＩ−ＲＳに対して指定された前記リソースエレメントの少なくとも１つは、電力が０のＣＳＩ−ＲＳを備える、請求項１に記載の方法。
【請求項１６】
前記ＣＳＩ−ＲＳに対して指定された前記リソースエレメントの少なくとも１つは、電力が０ではないＣＳＩ−ＲＳを備える、請求項１に記載の方法。
【請求項１７】
前記ノードは、半二重中継ノードを備える、請求項１に記載の方法。
【請求項１８】
ワイヤレス通信のための装置であって、
チャネル状態情報基準信号（ＣＳＩ−ＲＳ）のために使われることになるアンテナポートの数を決定し、
１つまたは複数のノードのための制御情報の送信のために、送信リソースユニットにおいてｎ個のリソースエレメントのグループを割り当てる
ように構成される処理システムと、ここで、前記処理システムは、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視することと、
前記無視することの後に前記送信リソースユニットに残っている前記リソースエレメントの中から、ｎ個のリソースエレメントの前記グループを決定することと
によって、ｎ個のリソースエレメントの前記グループを割り当てるように構成される、
前記ノードのための前記制御情報を、ｎ個のリソースエレメントの前記割り当てられたグループに従って送信するように構成される送信機とを備える、装置。
【請求項１９】
サポートされるＣＳＩ−ＲＳポートの前記最高の可能な数は、８である、請求項１８に記載の装置。
【請求項２０】
ｎ＝４である、請求項１９に記載の装置。
【請求項２１】
前記無視することは、少なくとも２つの共通基準信号（ＣＲＳ）ポートに基づいて、ＣＲＳに対して指定された前記リソースエレメントを無視することをさらに備える、請求項１８に記載の装置。
【請求項２２】
前記ノードのための前記制御情報は、中継物理ダウンリンク制御チャネル（Ｒ−ＰＤＣＣＨ）を備える、請求項１８に記載の装置。
【請求項２３】
前記Ｒ−ＰＤＣＣＨは、共通基準信号（ＣＲＳ）ベースのＲ−ＰＤＣＣＨを備える、請求項２２に記載の装置。
【請求項２４】
前記送信リソースユニットは、物理リソースブロック（ＰＲＢ）を備える、請求項１８に記載の装置。
【請求項２５】
前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、請求項２４に記載の装置。
【請求項２６】
前記リソースエレメントの各々は、時間と周波数のリソースを備える、請求項１８に記載の装置。
【請求項２７】
前記リソースエレメントの各々のための前記時間と周波数のリソースは、それぞれ１つのシンボルと１つのサブキャリアとを備える、請求項２６に記載の装置。
【請求項２８】
ｎ個のリソースエレメントの前記グループの各々は、１つのシンボルとｎ個のサブキャリアとを備える、請求項２７に記載の装置。
【請求項２９】
ｎ個のリソースエレメントの前記グループを決定することは、前記送信リソースユニットのシンボルに対して、前記残りのリソースエレメントの中からのｎ個の連続的なリソースエレメントのセットを決定することを備える、請求項１８に記載の装置。
【請求項３０】
アンテナポートの前記数は、１個、２個、４個、または８個のアンテナポートを備える、請求項１８に記載の装置。
【請求項３１】
前記処理システムは、
第１の中継ノードのための制御情報を、リソースエレメントの第１のグループに割り当てることと、
第２の中継ノードのための制御情報を、リソースエレメントの第２のグループに割り当てることと
によって、ｎ個のリソースエレメントの前記グループを割り当てるように構成される、請求項１８に記載の装置。
【請求項３２】
前記ＣＳＩ−ＲＳに対して指定された前記リソースエレメントの少なくとも１つは、電力が０のＣＳＩ−ＲＳを備える、請求項１８に記載の装置。
【請求項３３】
前記ＣＳＩ−ＲＳに対して指定された前記リソースエレメントの少なくとも１つは、電力が０ではないＣＳＩ−ＲＳを備える、請求項１８に記載の装置。
【請求項３４】
前記ノードは、半二重中継ノードを備える、請求項１８に記載の装置。
【請求項３５】
ワイヤレス通信のための装置であって、
チャネル状態情報基準信号（ＣＳＩ−ＲＳ）のために使われることになるアンテナポートの数を決定するための手段と、
１つまたは複数のノードのための制御情報の送信のために、送信リソースユニットにおいてｎ個のリソースエレメントのグループを割り当てるための手段と、ここで、前記割り当てるための手段は、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視し、
前記送信リソースユニットに残っている前記リソースエレメントの中から、ｎ個のリソースエレメントの前記グループを決定する
ように構成される、
ｎ個のリソースエレメントの前記割り当てられたグループに従って前記ノードのための前記制御情報を送信するための手段とを備える、装置。
【請求項３６】
ワイヤレス通信のためのコンピュータプログラムであって、少なくとも１つのプロセッサによって実行されるコードを備え、前記コードは、
チャネル状態情報基準信号（ＣＳＩ−ＲＳ）のために使われることになるアンテナポートの数を決定するためのコードと、
１つまたは複数のノードのための制御情報の送信のために、送信リソースユニットにおいてｎ個のリソースエレメントのグループを割り当てるためのコードと、ここで、前記割り当てることは、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視することと、
前記無視することの後に前記送信リソースユニットに残っている前記リソースエレメントの中から、ｎ個のリソースエレメントの前記グループを決定することと
を備え、
前記ノードのための前記制御情報を、ｎ個のリソースエレメントの前記割り当てられたグループに従って送信するためのコードとを備える、コンピュータプログラム。
【請求項３７】
１つまたは複数のノードのための制御情報に割り当てられたｎ個のリソースエレメントのグループを備える、少なくとも１つの送信リソースユニットを受信することと、ここで、ｎ個のリソースエレメントの前記グループと関連付けられる前記送信リソースユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定される、
ｎ個のリソースエレメントの前記割り当てられたグループに基づいて前記ノードのうちの１つのための前記制御情報を決定することと、
前記決定された制御情報に基づいてデータを見つけることとを備える、ワイヤレス通信のための方法。
【請求項３８】
サポートされるＣＳＩ−ＲＳポートの前記最高の可能な数は、８である、請求項３７に記載の方法。
【請求項３９】
ｎ＝４である、請求項３８に記載の方法。
【請求項４０】
ｎ個のリソースエレメントの前記グループと関連付けられる前記送信リソースユニットの中の前記リソースエレメントは、少なくとも２つの共通基準信号（ＣＲＳ）ポートに基づいて前記ＣＳＩ−ＲＳおよびＣＲＳに対して指定された前記リソースエレメントが無視された後に残っている前記リソースエレメントから決定される、請求項３７に記載の方法。
【請求項４１】
前記ノードのための前記制御情報は、中継物理ダウンリンク制御チャネル（Ｒ−ＰＤＣＣＨ）を備える、請求項３７に記載の方法。
【請求項４２】
前記Ｒ−ＰＤＣＣＨは、共通基準信号（ＣＲＳ）ベースのＲ−ＰＤＣＣＨを備える、請求項４１に記載の方法。
【請求項４３】
前記送信リソースユニットは、物理リソースブロック（ＰＲＢ）を備える、請求項３７に記載の方法。
【請求項４４】
前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、請求項４３に記載の方法。
【請求項４５】
前記リソースエレメントの各々が、時間と周波数のリソースを備える、請求項３７に記載の方法。
【請求項４６】
前記リソースエレメントの各々のための前記時間と周波数のリソースは、それぞれ１つのシンボルと１つのサブキャリアとを備える、請求項４５に記載の方法。
【請求項４７】
ｎ個のリソースエレメントの前記グループの各々は、１つのシンボルとｎ個のサブキャリアとを備える、請求項４６に記載の方法。
【請求項４８】
ｎ個のリソースエレメントの前記グループは、前記送信リソースユニットのシンボルに対して、前記残りのリソースエレメントの中からのｎ個の連続的なリソースエレメントのセットを備える、請求項３７に記載の方法。
【請求項４９】
アンテナポートの前記数は、１個、２個、４個、または８個のアンテナポートを備える、請求項３７に記載の方法。
【請求項５０】
前記制御情報を決定することは、異なる復号の候補と異なるフォーマットサイズの少なくとも１つを使って、前記制御情報を決定することを備える、請求項３７に記載の方法。
【請求項５１】
前記ノードは、半二重中継ノードを備える、請求項３７に記載の方法。
【請求項５２】
ワイヤレス通信のための装置であって、
１つまたは複数のノードのための制御情報に割り当てられたｎ個のリソースエレメントのグループを備える、少なくとも１つの送信リソースユニットを受信するように構成される受信機と、ここで、ｎ個のリソースエレメントの前記グループと関連付けられる前記送信リソースユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定され、
ｎ個のリソースエレメントの前記割り当てられたグループに基づいて、前記ノードのうちの１つである、前記装置のための前記制御情報を決定し、
前記決定された制御情報に基づいてデータを見つける
ように構成される、処理システムとを備える、装置。
【請求項５３】
サポートされるＣＳＩ−ＲＳポートの前記最高の可能な数は、８である、請求項５２に記載の装置。
【請求項５４】
ｎ＝４である、請求項５３に記載の装置。
【請求項５５】
ｎ個のリソースエレメントの前記グループと関連付けられる前記送信リソースユニットの中の前記リソースエレメントは、少なくとも２つの共通基準信号（ＣＲＳ）ポートに基づいて前記ＣＳＩ−ＲＳおよびＣＲＳに対して指定された前記リソースエレメントが無視された後に残っている前記リソースエレメントから決定される、請求項５２に記載の装置。
【請求項５６】
前記ノードのための前記制御情報は、中継物理ダウンリンク制御チャネル（Ｒ−ＰＤＣＣＨ）を備える、請求項５２に記載の装置。
【請求項５７】
前記Ｒ−ＰＤＣＣＨは、共通基準信号（ＣＲＳ）ベースのＲ−ＰＤＣＣＨを備える、請求項５６に記載の装置。
【請求項５８】
前記送信リソースユニットは、物理リソースブロック（ＰＲＢ）を備える、請求項５２に記載の装置。
【請求項５９】
前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、請求項５８に記載の装置。
【請求項６０】
前記リソースエレメントの各々は、時間と周波数のリソースを備える、請求項５２に記載の装置。
【請求項６１】
前記リソースエレメントの各々のための前記時間と周波数のリソースは、それぞれ１つのシンボルと１つのサブキャリアとを備える、請求項６０に記載の装置。
【請求項６２】
ｎ個のリソースエレメントの前記グループの各々は、１つのシンボルとｎ個のサブキャリアとを備える、請求項６１に記載の装置。
【請求項６３】
ｎ個のリソースエレメントの前記グループは、前記送信リソースユニットのシンボルに対して、前記残りのリソースエレメントの中からｎ個の連続的なリソースエレメントのセットを備える、請求項５２に記載の装置。
【請求項６４】
アンテナポートの前記数は、１個、２個、４個、または８個のアンテナポートを備える、請求項５２に記載の装置。
【請求項６５】
前記処理システムは、異なる復号の候補と異なるフォーマットサイズの少なくとも１つを使って、前記制御情報を決定するように構成される、請求項５２に記載の装置。
【請求項６６】
前記ノードは、半二重中継ノードを備える、請求項５２に記載の装置。
【請求項６７】
ワイヤレス通信のための装置であって、
１つまたは複数のノードのための制御情報に割り当てられたｎ個のリソースエレメントのグループを備える、少なくとも１つの送信リソースユニットを受信するための手段と、ここで、ｎ個のリソースエレメントの前記グループと関連付けられる前記送信リソースユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定される、
ｎ個のリソースエレメントの前記割り当てられたグループに基づいて、前記ノードのうちの１つである、前記装置のための前記制御情報を決定するための手段と、
前記決定された制御情報に基づいてデータを見つけるための手段とを備える、ワイヤレス通信のための装置。
【請求項６８】
ワイヤレス通信のためのコンピュータプログラムであって、少なくとも１つのプロセッサによって実行されるコードを備え、前記コードは、
１つまたは複数のノードのための制御情報に割り当てられたｎ個のリソースエレメントのグループを備える、少なくとも１つの送信リソースユニットを受信するためのコードと、ここで、ｎ個のリソースエレメントの前記グループと関連付けられる前記送信リソースユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定される、
ｎ個のリソースエレメントの前記割り当てられたグループに基づいて前記ノードのうちの１つのための前記制御情報を決定するためのコードと、
前記決定された制御情報に基づいてデータを見つけるためのコードとを備える、コンピュータプログラム。
【発明の詳細な説明】
【関連出願】
【０００１】
関連出願の相互参照  
本出願は、参照により本明細書に組み込まれる、２０１０年８月１６日に出願された、「Ｒ−ＰＤＣＣＨ  Ｉｎｔｅｒｌｅａｖｅｒ」という表題の米国仮特許出願第６１／３７４，２１１号の利益を主張する。
【技術分野】
【０００２】
本開示のいくつかの態様は全般にワイヤレス通信に関し、より具体的には、中継物理ダウンリンク制御チャネル（Ｒ−ＰＤＣＣＨ）のためのインターリービングに関する。
【背景技術】
【０００３】
ワイヤレス通信システムは、音声、ビデオ、パケットデータ、メッセージング、放送などの、様々な種類の通信サービスを提供するために広く展開されている。これらのシステムは、利用可能なシステムリソース（たとえば、帯域幅および送信電力）を共有することによって複数のユーザとの通信をサポートすることが可能な、多元接続システムであってよい。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）ネットワーク、第３世代パートナーシッププロジェクト（３ＧＰＰ）Ｌｏｎｇ  Ｔｅｒｍ  Ｅｖｏｌｕｔｉｏｎ（ＬＴＥ）ネットワーク、およびＬｏｎｇ  Ｔｅｒｍ  Ｅｖｏｌｕｔｉｏｎ  Ａｄｖａｎｃｅｄ（ＬＴＥ−Ａ）ネットワークがある。
【０００４】
ワイヤレス通信ネットワークは、いくつかのユーザ機器デバイス（ＵＥ）との通信をサポートすることができる、いくつかの基地局を含み得る。ＵＥは、ダウンリンクおよびアップリンクを介して基地局と通信し得る。ダウンリンク（または順方向リンク）は、基地局からＵＥへの通信リンクを指し、アップリンク（または逆方向リンク）は、ＵＥから基地局への通信リンクを指す。基地局は、ＵＥにダウンリンク上でデータおよび制御情報を送信することができ、かつ／またはＵＥからアップリンク上でデータおよび制御情報を受信することができる。この通信リンクは、単入力単出力、多入力単出力、または多入力多出力（ＭＩＭＯ）システムを介して確立され得る。
【０００５】
ワイヤレス通信システムは、中継基地局のような中継ノードを介してワイヤレス端末と通信する、ドナー基地局を備え得る。中継ノードは、バックホールリンクを介してドナー基地局と通信し、アクセスリンク介して端末と通信することができる。言い換えると、中継ノードは、バックホールリンクを通じてドナー基地局からダウンリンクメッセージを受信し、アクセスリンクを通じてこれらのメッセージを端末に中継することができる。同様に、中継ノードは、アクセスリンクを通じて端末からアップリンクメッセージを受信し、バックホールリンクを通じてこれらのメッセージをドナー基地局に中継することができる。したがって、中継ノードを使って、カバレッジ領域を補完し、「カバレッジホール」を埋めるのを助けることができる。
【発明の概要】
【０００６】
本開示のいくつかの態様は全般に、１つまたは複数のノードのための制御情報をインターリーブするための、方法および装置に関する。いくつかの態様では、制御情報は、１つまたは複数の中継ノードのための、１つまたは複数の中継物理ダウンリンク制御チャネル（Ｒ−ＰＤＣＣＨ）を備え得る。インターリーブすることは、共通基準信号（ＣＲＳ）ベースのＲ−ＰＤＣＣＨをインターリーブすることを備えてよく、ＣＲＳおよび／またはチャネル状態情報基準信号（ＣＳＩ−ＲＳ）のためのリソースエレメント（ＲＥ）は、物理リソースブロック（ＰＲＢ）では無視されてよい。
【０００７】
本開示のある態様では、ワイヤレス通信のための方法が提供される。この方法は一般に、チャネル状態情報基準信号（ＣＳＩ−ＲＳ）のために使われることになるアンテナポートの数を決定することと、１つまたは複数のノードのための制御情報の送信のために、送信リソースユニットにおいてｎ個のリソースエレメントのグループを割り当てることと、ここで、割り当てることは、（１）送信リソースユニット中のリソースエレメントから、ＣＳＩ−ＲＳのために使われることになるアンテナポートの数に関係なく、サポートされるＣＳＩ−ＲＳポートの可能な最高の数に基づいてＣＳＩ−ＲＳに対して指定されたリソースエレメントを無視することと、（２）無視した後に送信リソースユニットの中に残っているリソースエレメントの中から、ｎ個のリソースエレメントのグループを決定することとを備える、ｎ個のリソースエレメントの割り当てられたグループに従ってノードのための制御情報を送信することとを含む。
【０００８】
本開示のある態様では、ワイヤレス通信のための装置が提供される。この装置は一般に、処理システムと送信機とを含む。処理システムは通常、ＣＳＩ−ＲＳのために使われることになるアンテナポートの数を決定し、１つまたは複数のノードのための制御情報の送信のために、送信リソースユニットにおいてｎ個のリソースエレメントのグループを割り当てるように構成される。処理システムは通常、送信リソースユニット中のリソースエレメントから、ＣＳＩ−ＲＳのために使われることになるアンテナポートの数に関係なく、サポートされるＣＳＩ−ＲＳポートの可能な最高の数に基づいてＣＳＩ−ＲＳに対して指定されたリソースエレメントを無視し、無視した後に送信リソースユニットの中に残っているリソースエレメントの中から、ｎ個のリソースエレメントのグループを決定することによって、グループを割り当てるように構成される。送信機は通常、ｎ個のリソースエレメントの割り当てられたグループに従って、ノードのための制御情報を送信するように構成される。
【０００９】
本開示のある態様では、ワイヤレス通信のための装置が提供される。この装置は一般に、ＣＳＩ−ＲＳのために使われることになるアンテナポートの数を決定するための手段と、１つまたは複数のノードのための制御情報の送信のために、送信リソースユニットにおいてｎ個のリソースエレメントのグループを割り当てるための手段と、ここで、割り当てるための手段は、（１）送信リソースユニット中のリソースエレメントから、ＣＳＩ−ＲＳのために使われることになるアンテナポートの数に関係なく、サポートされるＣＳＩ−ＲＳポートの可能な最高の数に基づいてＣＳＩ−ＲＳに対して指定されたリソースエレメントを無視し、（２）送信リソースユニットの中に残っているリソースエレメントの中から、ｎ個のリソースエレメントのグループを決定するように構成される、ｎ個のリソースエレメントの割り当てられたグループに従ってノードのための制御情報を送信するための手段とを含む。
【００１０】
本開示のある態様では、ワイヤレス通信のためのコンピュータプログラム製品が提供される。このコンピュータプログラム製品は一般に、ＣＳＩ−ＲＳのために使われることになるアンテナポートの数を決定するためのコードと、１つまたは複数のノードのための制御情報の送信のために、送信リソースユニットにおいてｎ個のリソースエレメントのグループを割り当てるためのコードと、ここで、割り当てることは、（１）送信リソースユニット中のリソースエレメントから、ＣＳＩ−ＲＳのために使われることになるアンテナポートの数に関係なく、サポートされるＣＳＩ−ＲＳポートの可能な最高の数に基づいてＣＳＩ−ＲＳに対して指定されたリソースエレメントを無視することと、（２）無視した後に送信リソースユニットの中に残っているリソースエレメントの中から、ｎ個のリソースエレメントのグループを決定することとを備える、ｎ個のリソースエレメントの割り当てられたグループに従って、ノードのための制御情報を送信するためのコードとを有する、コンピュータ可読媒体を含む。
【００１１】
本開示のある態様では、ワイヤレス通信のための方法が提供される。この方法は一般に、１つまたは複数のノードのための制御情報に割り当てられたｎ個のリソースエレメントのグループを備える、少なくとも１つの送信リソースユニットを受信することと、ここで、ｎ個のリソースエレメントのグループと関連付けられる送信リソースユニット中のリソースエレメントは、ＣＳＩ−ＲＳのために実際に使われるアンテナポートの数に関係なく、ＣＳＩ−ＲＳに対して指定されたリソースエレメントがサポートされるＣＳＩ−ＲＳポートの最高の可能な数に基づいて無視された後に残っているリソースエレメントから決定される、ｎ個のリソースエレメントの割り当てられたグループに基づいて、ノードのうちの１つのための制御情報を決定することと、決定された制御情報に基づいてデータを見つけることとを含む。
【００１２】
本開示のある態様では、ワイヤレス通信のための装置が提供される。この装置は一般に、受信機と処理システムとを含む。この受信機は通常、１つまたは複数のノードのための制御情報に割り当てられたｎ個のリソースエレメントのグループを備える、少なくとも１つの送信リソースユニットを受信するように構成される。ｎ個のリソースエレメントのグループと関連付けられる送信リソースユニット中のリソースエレメントは、ＣＳＩ−ＲＳのために実際に使われるアンテナポートの数に関係なく、サポートされるＣＳＩ−ＲＳポートの最高の可能な数に基づいてＣＳＩ−ＲＳに対して指定されたリソースエレメントが無視された後に残っているリソースエレメントから決定される。この処理システムは通常、ｎ個のリソースエレメントの割り当てられたグループに基づいて、ノードのうちの１つである装置のための制御情報を決定し、決定された制御情報に基づいてデータを見つけるように構成される。
【００１３】
本開示のある態様では、ワイヤレス通信のための装置が提供される。この装置は一般に、１つまたは複数のノードのための制御情報に割り当てられたｎ個のリソースエレメントのグループを備える、少なくとも１つの送信リソースユニットを受信するための手段と、ここで、ｎ個のリソースエレメントのグループと関連付けられる送信リソースユニット中のリソースエレメントは、ＣＳＩ−ＲＳのために実際に使われるアンテナポートの数に関係なく、サポートされるＣＳＩ−ＲＳポートの最高の可能な数に基づいてＣＳＩ−ＲＳに対して指定されたリソースエレメントが無視された後に残っているリソースエレメントから決定される、ｎ個のリソースエレメントの割り当てられたグループに基づいて、ノードのうちの１つである装置のための制御情報を決定するための手段と、決定された制御情報に基づいてデータを見つけるための手段とを含む。
【００１４】
本開示のある態様では、ワイヤレス通信のためのコンピュータプログラム製品が提供される。このコンピュータプログラム製品は一般に、１つまたは複数のノードのための制御情報に割り当てられたｎ個のリソースエレメントのグループを備える、少なくとも１つの送信リソースユニットを受信するためのコードと、ここで、ｎ個のリソースエレメントのグループと関連付けられる送信リソースユニット中のリソースエレメントは、ＣＳＩ−ＲＳのために実際に使われるアンテナポートの数に関係なく、サポートされるＣＳＩ−ＲＳポートの最高の可能な数に基づいてＣＳＩ−ＲＳに対して指定されたリソースエレメントが無視された後に残っているリソースエレメントから決定される、ｎ個のリソースエレメントの割り当てられたグループに基づいて、ノードのうちの１つのための制御情報を決定するためのコードと、決定された制御情報に基づいてデータを見つけるためのコードとを含む。
【図面の簡単な説明】
【００１５】
本開示の特徴、性質、および利点は、全体を通じて同様の参照符号が同様のものを指す図面とともに、以下に記載する詳細な説明を読めばより明らかになろう。
【図１】本開示のある態様による、例示的なワイヤレス通信システムを示す図。
【図２】本開示のある態様による、ワイヤレス通信システムにおいてユーザ機器デバイス（ＵＥ）と通信しているＮｏｄｅ  Ｂのある例を概念的に示すブロック図。
【図３】本開示のある態様による、中継ノードを有するある例示的なワイヤレス通信システムを示す図。
【図４】本開示のある態様による、ある例示的な中継物理ダウンリンク制御チャネル（Ｒ−ＰＤＤＣＨ）サブフレームを示す図。
【図５】本開示のある態様による、ダウンリンク制御チャネルとダウンリンク共有チャネルとの例示的な対話を示す図。
【図６】本開示のある態様による、実際に使われることになるチャネル状態情報（ＣＳＩ）ポートの数に関係なく、サポートされるチャネル状態情報基準信号（ＣＳＩ−ＲＳ）ポートの可能な最高の数に基づいてＣＳＩ−ＲＳに対して指定されたリソースエレメント（ＲＥ）を無視することによって割り当てられた送信リソースユニット中のＲＥのグループに従って、１つまたは複数のノードのための制御情報を送信するための例示的な動作のフローチャート。
【図６Ａ】図６に示される動作を実行することが可能な、例示的な構成要素を示す図。
【図７】本開示のある態様による、２個、４個、および８個のＣＳＩ−ＲＳポートのための例示的な基準信号（ＲＳ）パターンを示す図。
【図８】本開示のある態様による、８個のＣＳＩ−ＲＳポートを使ったある例示的なＣＳＩ−ＲＳパターンの中の、リソースエレメントグループ（ＲＥＧ）を示す図。
【図９】本開示のある態様による、実際に使われることになるＣＳＩポートの数に関係なく、サポートされるＣＳＩ−ＲＳポートの可能な最高の数に基づいてＣＳＩ−ＲＳに対して指定されたＲＥを無視することによって割り当てられた送信リソースユニット中のＲＥのグループに基づいて、あるノードのための制御情報を決定するための例示的な動作のフローチャート。
【図９Ａ】図９に示される動作を実行することが可能な、例示的な構成要素を示す図。
【発明を実施するための形態】
【００１６】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）およびＬｏｗ  Ｃｈｉｐ  Ｒａｔｅ（ＬＣＲ）を含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの来たるリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「第３世代パートナーシッププロジェクト２」（３ＧＰＰ２）と名付けられた組織からの文書に記載されている。これらの様々な無線技術および規格は当技術分野で知られている。明瞭にするために、本技法のいくつかの態様は以下ではＬＴＥに関して説明され、以下の説明の大部分でＬＴＥ用語を使用する。
【００１７】
シングルキャリア変調および周波数領域等化を利用するシングルキャリア周波数分割多元接続（ＳＣ−ＦＤＭＡ）は、１つの技法である。ＳＣ−ＦＤＭＡは、ＯＦＤＭＡシステムと同様の性能と、本質的に同じ全体的な複雑さとを有する。ＳＣ−ＦＤＭＡ信号は、その固有のシングルキャリア構造のために、ピーク対平均電力比（ＰＡＰＲ）がより低い。ＳＣ−ＦＤＭＡは特に、より低いＰＡＰＲが送信電力効率の点でモバイル端末に大きな利益を与えるアップリンク通信において、大きな注目を集めている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提である。
【００１８】
例示的なワイヤレス通信システム  
図１を参照すると、一実施形態による多元接続ワイヤレス通信システムが示されている。アクセスポイント１００（ＡＰ）は、複数のアンテナグループ、すなわち、アンテナ１０４とアンテナ１０６とを含むあるアンテナグループと、アンテナ１０８とアンテナ１１０とを含む別のアンテナグループと、アンテナ１１２とアンテナ１１４とを含むさらに別のアンテナグループとを含む。図１では、各アンテナグループに２つのアンテナのみが示されているが、より多数または少数のアンテナが各アンテナグループに利用されてよい。アクセス端末１１６（ＡＴ）はアンテナ１１２および１１４と通信中であり、アンテナ１１２および１１４は、順方向リンク１２０を通じてアクセス端末１１６に情報を送信し、逆方向リンク１１８を通じてアクセス端末１１６から情報を受信する。アクセス端末１２２はアンテナ１０６および１０８と通信中であり、アンテナ１０６および１０８は、順方向リンク１２６を通じてアクセス端末１２２に情報を送信し、逆方向リンク１２４を通じてアクセス端末１２２から情報を受信する。ＦＤＤシステムでは、通信リンク１１８、１２０、１２４および１２６は、通信に異なる周波数を使用することができる。たとえば、順方向リンク１２０は、逆方向リンク１１８によって使用される周波数とは異なる周波数を使用してよい。
【００１９】
アンテナの各グループ、および／またはアンテナが通信するように設計されたエリアは、しばしば、アクセスポイントのセクタと呼ばれる。一態様では、アンテナグループはそれぞれ、アクセスポイント１００によってカバーされるエリアのセクタ内のアクセス端末に通信するように設計される。
【００２０】
順方向リンク１２０および１２６を介した通信では、アクセスポイント１００の送信アンテナは、異なるアクセス端末１１６および１２２に関する順方向リンクの信号対雑音比（ＳＮＲ）を改善するために、ビームフォーミングを利用する。また、アクセスポイントが、ビームフォーミングを使用して、そのカバレッジ中にランダムに分散しているアクセス端末に送信することで、アクセスポイントが単一のアンテナを介してすべてのそのアクセス端末に送信するよりも、隣接セル中のアクセス端末への干渉が小さくなる。
【００２１】
アクセスポイント（ＡＰ）は、端末との通信に使用される固定局でもよく、基地局（ＢＳ）、Ｎｏｄｅ  Ｂ、または何らかの他の用語で呼ばれることもある。アクセス端末は、移動局（ＭＳ）、ユーザ機器（ＵＥ）、ワイヤレス通信デバイス、端末、ユーザ端末（ＵＴ）、またはいくつかのその他の専門用語で呼ばれることもある。
【００２２】
図２は、ＭＩＭＯシステム２００における送信機システム２１０（アクセスポイントとしても知られる）および受信機システム２５０（アクセス端末としても知られる）の実施形態のブロック図である。送信機システム２１０において、いくつかのデータストリームのトラフィックデータが、データソース２１２から送信（ＴＸ）データプロセッサ２１４に供給される。
【００２３】
ある態様では、各データストリームは、それぞれの送信アンテナを通じて送信される。ＴＸデータプロセッサ２１４は、そのデータストリームに対して選択された特定の符号化方式に基づいて、各データストリームのトラフィックデータをフォーマットし、符号化し、インターリーブして、符号化されたデータを与える。
【００２４】
各データストリームの符号化されたデータは、ＯＦＤＭ技法を使用してパイロットデータと多重化され得る。パイロットデータは通常、既知の方法で処理されかつチャネル応答を推定するために受信機システムにおいて使用され得る、既知のデータパターンである。次いで、各データストリームの多重化されたパイロットデータおよび符号化されたデータは、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）され、変調シンボルを与える。各データストリームのデータレート、符号化、および変調は、プロセッサ２３０によって実行される命令によって決定され得る。
【００２５】
次いで、すべてのデータストリームの変調シンボルがＴＸ  ＭＩＭＯプロセッサ２２０に提供され、ＴＸ  ＭＩＭＯプロセッサ２２０はさらに（たとえば、ＯＦＤＭ用に）その変調シンボルを処理し得る。次いで、ＴＸ  ＭＩＭＯプロセッサ２２０はＮT個の変調シンボルストリームをＮT個の送信機（ＴＭＴＲ）２２２ａ〜２２２ｔに提供する。いくつかの態様では、ＴＸ  ＭＩＭＯプロセッサ２２０は、データストリームのシンボルと、シンボルの送信元のアンテナとに、ビームフォーミングの重みを適用する。
【００２６】
各送信機２２２は、それぞれのシンボルストリームを受信し処理して、１つまたは複数のアナログ信号を与え、さらに、そのアナログ信号を調整（たとえば、増幅、フィルタリング、およびアップコンバート）して、ＭＩＭＯチャネルを通じて送信するのに適した変調信号を与える。送信機２２２ａ〜２２２ｔからのＮT個の変調信号は、次いで、それぞれ、ＮT本のアンテナ２２４ａ〜２２４ｔから送信される。図２に示されるように、送信された変調信号は、中継物理ダウンリンク制御チャネル（Ｒ−ＰＤＣＣＨ）２９８のような、中継ノードのための制御情報を示し得る。
【００２７】
受信機システム２５０において、送信された変調信号は、ＮR本のアンテナ２５２ａ〜２５２ｒによって受信されて、各アンテナ２５２から受信された信号は、それぞれの受信機（ＲＣＶＲ）２５４ａ〜２５４ｒに提供される。各受信機２５４は、それぞれの受信信号を調整（たとえば、フィルタリング、増幅、およびダウンコンバート）し、調整された信号をデジタル化してサンプルを提供し、さらにそのサンプルを処理して対応する「受信」シンボルストリームを与える。
【００２８】
次いで、ＲＸデータプロセッサ２６０が、ＮR個の受信機２５４からＮR個の受信シンボルストリームを受信し、特定の受信機処理技法に基づいて処理して、ＮT個の「検出」シンボルストリームを与える。次いで、ＲＸデータプロセッサ２６０が、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理と相補的なものである。
【００２９】
プロセッサ２７０は、どのプリコーディング行列を使用すべきかを定期的に判定する。プロセッサ２７０は、行列インデックス部とランク値部とを備える逆方向リンクメッセージを作成する。
【００３０】
逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００３１】
送信機システム２１０において、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信される逆方向リンクメッセージを抽出する。次いで、プロセッサ２３０は、ビームフォーミング重みを決定するためにどのプリコーディング行列を使用すべきかを決定し、そして抽出されたメッセージを処理する。
【００３２】
ある態様では、論理チャネルは、制御チャネルとトラフィックチャネルとに分類される。論理制御チャネルは、システム制御情報をブロードキャストするためのＤＬチャネルである、ブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１つまたは複数のＭＴＣＨについてのマルチメディアブロードキャストおよびマルチキャストサービス（ＭＢＭＳ）のスケジューリングと制御情報とを送信するために使用される、ポイントツーマルチポイントＤＬチャネルである。一般に、無線リソース制御（ＲＲＣ）接続を確立した後、このチャネルは、ＭＢＭＳ（たとえば、古いＭＣＣＨ＋ＭＳＣＨ）を受信するＵＥによって使用されるだけである。専用制御チャネル（ＤＣＣＨ）は、ＲＲＣ接続を有するＵＥによって使用される、専用制御情報を送信するポイントツーポイント双方向チャネルである。ある態様では、論理トラフィックチャネルは、ユーザ情報を転送するための、１つのＵＥに専用のポイントツーポイント双方向チャネルである専用トラフィックチャネル（ＤＴＣＨ）を備える。また、マルチキャストトラフィックチャネル（ＭＴＣＨ）は、トラフィックデータを送信するためのポイントツーマルチポイントＤＬチャネルである。
【００３３】
ある態様では、トランスポートチャネルは、ＤＬとＵＬとに分類される。ＤＬトランスポートチャネルは、ブロードキャストチャネル（ＢＣＨ）と、ダウンリンク共有データチャネル（ＤＬ−ＳＤＣＨ）と、ＵＥの省電力化をサポートするためのページングチャネル（ＰＣＨ）（ＤＲＸサイクルがネットワークによってＵＥに示される）とを備え、これらのチャネルは、セル全体にわたってブロードキャストされ、他の制御／トラフィックチャネルに使用できるＰＨＹリソースにマッピングされる。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを備える。ＰＨＹチャネルは、ＤＬチャネルとＵＬチャネルとのセットを備える。
【００３４】
ＤＬ  ＰＨＹチャネルは、以下のチャネルを備える。  
共通パイロットチャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
肯定応答チャネル（ＡＣＫＣＨ）  
ＤＬ物理共有データチャネル（ＤＬ−ＰＳＤＣＨ）  
ＵＬ電力制御チャネル（ＵＰＣＣＨ）  
ページングインジケータチャネル（ＰＩＣＨ）  
負荷インジケータチャネル（ＬＩＣＨ）
【００３５】
ＵＬ  ＰＨＹチャネルは、以下のチャネルを備える。  
物理ランダムアクセスチャネル（ＰＲＡＣＨ）  
チャネル品質インジケータチャネル（ＣＱＩＣＨ）  
肯定応答チャネル（ＡＣＫＣＨ）  
アンテナサブセットインジケータチャネル（ＡＳＩＣＨ）  
共有要求チャネル（ＳＲＥＱＣＨ）  
ＵＬ物理共有データチャネル（ＵＬ−ＰＳＤＣＨ）  
ブロードバンドパイロットチャネル（ＢＰＩＣＨ）
【００３６】
ある態様では、シングルキャリア波形のＰＡＰＲ特性を低いまま保つ（任意の所与の時間において、チャネルが周波数に関して連続するまたは均一に間隔をあけられる）、チャネル構造が提供される。
【００３７】
本文書では、以下の略語を適用する。  
ＡＭ            アクノレッジモード  
ＡＭＤ          アクノレッジモードデータ  
ＡＲＱ          自動再送要求  
ＢＣＣＨ        ブロードキャスト制御チャネル  
ＢＣＨ          ブロードキャストチャネル  
Ｃ−            制御  
ＣＣＣＨ        共通制御チャネル  
ＣＣＨ          制御チャネル  
ＣＣＴｒＣＨ    符号化複合トランスポートチャネル  
ＣＰ            サイクリックプレフィックス  
ＣＲＣ          巡回冗長検査  
ＣＲＳ          共通基準信号  
ＣＳＩ−ＲＳ    チャネル状態情報基準信号  
ＣＴＣＨ        共通トラフィックチャネル  
ＤＣＣＨ        専用制御チャネル  
ＤＣＨ          専用チャネル  
ＤＬ            ダウンリンク  
ＤＬ−ＳＣＨ    ダウンリンク共有チャネル  
ＤＭ−ＲＳ      復調基準信号  
ＤＳＣＨ        ダウンリンク共有チャネル  
ＤＴＣＨ        専用トラフィックチャネル  
ＦＡＣＨ        順方向リンクアクセスチャネル  
ＦＤＤ          周波数分割複信  
Ｌ１            レイヤ１（物理層）  
Ｌ２            レイヤ２（データリンク層）  
Ｌ３            レイヤ３（ネットワーク層）  
ＬＩ            長さインジケータ  
ＬＳＢ          最下位ビット  
ＭＡＣ          媒体アクセス制御  
ＭＢＭＳ        マルチメディアブロードキャストマルチキャストサービス  
ＭＣＣＨ        ＭＢＭＳポイントツーマルチポイント制御チャネル  
ＭＲＷ          移動受信ウィンドウ  
ＭＳＢ          最上位ビット  
ＭＳＣＨ        ＭＢＭＳポイントツーマルチポイントスケジューリングチャネル  
ＭＴＣＨ        ＭＢＭＳポイントツーマルチポイントトラフィックチャネル  
ＰＣＣＨ        ページング制御チャネル  
ＰＣＨ          ページングチャネル  
ＰＤＵ          プロトコルデータユニット  
ＰＨＹ          物理層  
ＰｈｙＣＨ      物理チャネル  
ＲＡＣＨ        ランダムアクセスチャネル  
ＲＢ            リソースブロック  
ＲＬＣ          無線リンク制御  
ＲＲＣ          無線リソース制御  
ＳＡＰ          サービスアクセスポイント  
ＳＤＵ          サービスデータユニット  
ＳＨＣＣＨ      共有チャネル制御チャネル  
ＳＮ            シーケンス番号  
ＳＵＦＩ        スーパーフィールド  
ＴＣＨ          トラフィックチャネル  
ＴＤＤ          時分割複信  
ＴＦＩ          トランスポートフォーマットインジケータ  
ＴＭ            透過モード  
ＴＭＤ          透過モードデータ  
ＴＴＩ          送信時間間隔  
Ｕ−            ユーザ  
ＵＥ            ユーザ機器  
ＵＬ            アップリンク  
ＵＭ            アンアクノレッジモード  
ＵＭＤ          アンアクノレッジモードデータ  
ＵＭＴＳ        ユニバーサル移動通信システム  
ＵＴＲＡ        ＵＭＴＳ地上無線アクセス  
ＵＴＲＡＮ      ＵＭＴＳ地上波無線アクセスネットワーク  
ＭＢＳＦＮ      マルチメディアブロードキャスト単一周波数ネットワーク  
ＭＣＥ          ＭＢＭＳ調整エンティティ  
ＭＣＨ          マルチキャストチャネル  
ＭＳＣＨ        ＭＢＭＳスケジューリングチャネル  
ＰＤＣＣＨ      物理ダウンリンク制御チャネル  
ＰＤＳＣＨ      物理ダウンリンク共有チャネル  
ＰＲＢ          物理リソースブロック  
加えて、「Ｒｅｌ−８」は、ＬＴＥ規格のリリース８を指す。
【００３８】
例示的な中継システム  
図３は、本開示のいくつかの態様を実践することができる、ある例示的なワイヤレスシステム３００を示す。示されるように、システム３００は、（中継局またはリレーとしても知られている）中継ノード３０６を介して、ユーザ機器（ＵＥ）３０４と通信する（ドナーアクセスポイント、ドナーｅｖｏｌｖｅｄ  Ｎｏｄｅ  Ｂ（ＤｅＮＢ）としても知られている）ドナー基地局（ＢＳ）３０２を含む。
【００３９】
中継ノード３０６は、バックホールリンク３０８を介してドナーＢＳ３０２と通信して、アクセスリンク３１０を介してＵＥ３０４と通信することができる。言い換えると、中継ノード３０６は、バックホールリンク３０８を通じてドナーＢＳ３０２からダウンリンクメッセージを受信して、アクセスリンク３１０を通じてこれらのメッセージをＵＥ３０４に中継することができる。同様に、中継ノード３０６は、アクセスリンク３１０を通じてＵＥ３０４からアップリンクメッセージを受信して、バックホールリンク３０８を通じてこれらのメッセージをドナーＢＳ３０２に中継することができる。
【００４０】
したがって、中継ノード３０６を使って、カバレッジ領域を補完し、「カバレッジホール」を埋めるのを助けることができる。いくつかの態様によれば、中継ノード３０６は、ＵＥ３０４には従来のＢＳとして見えていてよい。他の態様によれば、あるタイプのＵＥは、中継ノードを中継ノードとして認識することができ、これによっていくつかの機能が可能になり得る。
【００４１】
例示的なＲ−ＰＤＣＣＨのインターリービング  
中継ノード３０６は、ドナーＢＳ３０２から通常のＰＤＣＣＨを受信できないことがある。この場合、ドナーＢＳは、バックホールリンク３０８を介して、中継物理ダウンリンク制御チャネル（Ｒ−ＰＤＣＣＨ）２９８を送信することができる。Ｒ−ＰＤＣＣＨ２９８は、マルチメディアブロードキャスト単一周波数ネットワーク（ＭＢＳＦＮ）サブフレームまたは非ＭＢＳＦＮサブフレームにおいて、ドナーＢＳから送信され得る。Ｒ−ＰＤＣＣＨは、ダウンリンクバックホールデータ（たとえば、中継ノードのための物理ダウンリンク共有チャネル（ＰＤＳＣＨ）（Ｒ−ＰＤＳＣＨ）および中継ノードのための物理アップリンク共有チャネル（ＰＵＳＣＨ）（Ｒ−ＰＵＳＣＨ））のためのリソースを、動的にまたは準静的に割り当てるように設計される。
【００４２】
図４は、本開示のある態様による、例示的なバックホールサブフレーム４００を示す。バックホールサブフレーム４００は、第１のスロット４０２と第２のスロット４０４とに分割され、各スロットは一般的に、ＬＴＥにおける通常のサイクリックプレフィックス（ＣＰ）の場合には７個のシンボルを備える。ＬＴＥでは各サブフレームは１ｍｓにわたるので、各スロットは長さが０．５ｍｓである。バックホールサブフレーム４００の最初の３個のシンボルは、物理制御フォーマットインジケータチャネル（ＰＣＦＩＣＨ）、物理ＨＡＲＱインジケータチャネル（ＰＨＩＣＨ）、および通常の（すなわち非中継）ＰＤＣＣＨのために使われ得る。
【００４３】
バックホールサブフレーム４００において情報を搬送するために、様々な選択肢が利用可能である。たとえば、ＤＬ許可が、第１のスロット４０２において送信される。所与の物理リソースブロック（ＰＲＢ）ペアの第１のＰＲＢにおいてＤＬ許可が送信された場合、いくつかの態様では、ＰＲＢペアの第２のＰＲＢにおいてＵＬ許可が送信される。他の態様では、データ（たとえばＲ−ＰＤＳＣＨデータ）はＲ−ＰＤＣＣＨ  ＰＲＢペアの第２のスロット４０４において送信されてよく、または第２のスロットは空であってよい。
【００４４】
いくつかの態様によれば、ＤＭ−ＲＳベースのＲ−ＰＤＣＣＨの復調では、ＰＲＢ内での複数のＲ−ＰＤＣＣＨにわたるインターリービングはサポートされない。いくつかの態様によれば、ＣＲＳベースのＲ−ＰＤＣＣＨの復調では、２つのインターリービングモード、すなわち、Ｒｅｌ−８タイプのＲＥＧレベルのインターリービングと、ＰＲＢ内で複数のＲ−ＰＤＣＣＨにわたるインターリービングを行わないこととが、サポートされ得る。本開示のいくつかの態様によれば、ＤＭ−ＲＳベースのＲ−ＰＤＣＣＨの復調とＣＲＳベースのＲ−ＰＤＣＣＨの復調の両方のための、Ｒ−ＰＤＣＣＨのインターリービングのための技法と装置とを提供する。
【００４５】
いくつかの態様によれば、ＣＲＳベースのＲ−ＰＤＣＣＨの復調とＤＭ−ＲＳベースのＲ−ＰＤＣＣＨの復調の両方が、サポートされ得る。ＤＭ−ＲＳベースのＲ−ＰＤＣＣＨの復調では、ＰＲＢペアの中のＤＬ許可およびＵＬ許可は、同じ中継ノード（ＲＮ）のためのものであってよい。したがって、そのようなＰＲＢペアには、異なるＲＮのために使うことができるＲＥはないことがある。一方、ＣＲＳベースのＲ−ＰＤＣＣＨの復調では、２つのインターリービングモード、すなわち、Ｒｅｌ−８タイプのＲＥＧレベルのインターリービングと、ＰＲＢ内で複数のＲ−ＰＤＣＣＨにわたるインターリービングを行わないこととが、サポートされ得る。本開示のいくつかの態様は、Ｒ−ＰＤＣＣＨおよび（Ｒ）−ＰＤＳＣＨのための基準信号（ＲＳ）タイプの例示的な相互作用を提供し、Ｒ−ＰＤＣＣＨおよびＲ−ＰＤＳＣＨのための例示的なインターリーバの設計も提供する。
【００４６】
Ｒ−ＰＤＣＣＨおよびＲ−ＰＤＳＣＨのためのＲＳタイプのインタラクションおよびフォールバック動作  
所与のＲＮに対して、Ｒ−ＰＤＣＣＨ復調のＲＳタイプ（ＣＲＳまたはＤＭ−ＲＳ）は、動的に変わることはなく、サブフレームのタイプに依存することもなくてよい。Ｒ−ＰＤＣＣＨは、ＤＭ−ＲＳがｅＮＢによって構成される場合にはＲｅｌ−１０  ＤＭ−ＲＳによって、その他の場合にはＲｅｌ−８  ＣＲＳによって、通常のサブフレームにおいて復調され得る。ＭＢＳＦＮサブフレームにおいて、Ｒ−ＰＤＣＣＨは、Ｒｅｌ−１０  ＤＭ−ＲＳによって復調され得る。
【００４７】
Ｕｎでのダウンリンク共有データ送信のために、Ｒ−ＰＤＣＣＨに関しては同じ設計の選択肢が可能である。所与のＲＮに対して、Ｒ−ＰＤＳＣＨ送信モードは、動的に変わることはなく、サブフレームのタイプに依存することもなくてよい。Ｒ−ＰＤＣＣＨは、送信モードに従って、ＣＲＳがＤＭ−ＲＳによって構成される場合にはＣＲＳによって、ＤＭ−ＲＳが構成される場合にはＤＭ−ＲＳによって、復調され得る。ＤｅＮＢは、ＲＮの送信モードを設定することができる。
【００４８】
Ｒｅｌ−８の各々の（Ｒ）−ＰＤＳＣＨ送信モード内で、２つのＤＣＩフォーマットと、それに対応する２つのＰＤＳＣＨ送信方式とがサポートされる。すなわち、（１）送信ダイバーシティに基づくＰＤＳＣＨ送信方式と関連付けられる（フォールバック動作のための）ＤＣＩフォーマット１Ａと、モード依存のＰＤＳＣＨ送信方式と関連付けられるモード依存のＤＣＩフォーマットである。
【００４９】
１つの重要な設計検討は、ＲＮのフォールバック動作をサポートするかどうかであり得る。Ｒｅｌ−８では、新しい構成がＵＥによっていつ適用されたかに関してｅＮＢとＵＥの間に曖昧さが存在する可能性がある場合は、ＲＲＣ再構成の観点から特に、ＤＣＩフォーマット１Ａに基づくフォールバックが望ましいことがある。ＲＮのためのＲＲＣ再構成（たとえば、バックホールサブフレーム、（Ｒ）−ＰＤＳＣＨの開始シンボルインデックス、Ｒ−ＰＤＣＣＨのためのＲＳのタイプ、ＤＬ送信モードなど）が望ましいことがあるので、ＤＣＩフォーマット１Ａを介したフォールバック動作が、ＲＮバックホールに対してもサポートされるのは当然である。たとえば、フォールバック動作がなければ、Ｒ−ＰＤＣＣＨのためのＲＳのタイプの再構成が、問題のあるものになり得る。
【００５０】
しかし、ＭＢＳＦＮサブフレームでは、ＣＲＳをデータ領域において送信できない。Ｒｅｌ−８の空間周波数ブロックコード（ＳＦＢＣ）に基づく送信ダイバーシティは、この場合には容易に適用できない。ＤＭ−ＲＳに基づく、いくつかの他の送信ダイバーシティ方式を使うことができる（たとえば、ｌａｒｇｅ  ｄｅｌａｙ  ｃｙｃｌｉｃ  ｄｅｌａｙ  ｄｉｖｅｒｓｉｔｙ（ＬＤ  ＣＤＤ）様の送信ダイバーシティ）。結果として、ＤＬバックホールサブフレームの一部として構成される、少なくとも１つの非ＭＢＳＦＮサブフレームを有するのが望ましいことがある。
【００５１】
別の設計検討は、ＲＮにおける時間と周波数の記録に関し得る。Ｒｅｌ−８では、そのような記録はＣＲＳの利用可能性に依存する。ＭＢＳＦＮサブフレームのデータ領域にＣＲＳが存在しないので、Ｒｅｌ−８での実施は容易にはできない。記録のための何らかの他の手段（たとえば、ＣＳＩ−ＲＳ、ＤＭ−ＲＳ、ｔｒｕｎｃａｔｅｄ  ＣＲＳなど）を使うことが、可能であり得る。また、バックホールチャネルが静止していると想定される場合には、時間と周波数の記録の必要性は確実に低くなり得る。しかし、簡易性と堅牢性のために、ＤＬバックホールの中に少なくとも１つの非ＭＢＳＦＮサブフレームを有し、ＣＲＳベースの時間と周波数の記録を可能にするのがやはり望ましい可能性がある。
【００５２】
したがって、フォールバックおよび時間記録の必要性に基づいて、本開示のいくつかの態様は、以下の設計検討をもたらす。ＤＣＩフォーマット１Ａがフォールバック動作のために使われ得る場合、ＲＮバックホールにおいて、Ｒｅｌ−１０のＵＥに対して規定される同じ送信モードがサポートされ得る。ドナーｅＮＢにおける少なくとも１つの非ＭＢＳＦＮサブフレームは、ＤＬバックホールサブフレームの一部として構成され得る。同じＲｅｌ−８の送信ダイバーシティ方式が使われ得る場合、ＤＬバックホールにおいて、ＤＣＩフォーマット１Ａは非ＭＢＳＦＮサブフレームにしか存在しなくてよい。加えて、いくつかの態様は、ＭＢＳＦＮサブフレームにおいてＤＣＩフォーマット１Ａを使うことができ、ＤＭ−ＲＳベースの送信ダイバーシティまたはビームフォーミングを使うことができる。
【００５３】
いくつかの態様によれば、たとえば以下のような、Ｒ−ＰＤＣＣＨおよびＲ−ＰＤＳＣＨのための、同じタイプのＲＳまたは異なるタイプのＲＳを、ＲＮに対して使うことができる。  
・  ＣＲＳベースのＲ−ＰＤＣＣＨおよびＣＲＳベースの（Ｒ）−ＰＤＳＣＨ  
・  ＣＲＳベースのＲ−ＰＤＣＣＨおよびＤＭ−ＲＳベースの（Ｒ）−ＰＤＳＣＨ  
・  ＤＭ−ＲＳベースのＲ−ＰＤＣＣＨおよびＣＲＳベースの（Ｒ）−ＰＤＳＣＨ  
・  ＤＭ−ＲＳベースのＲ−ＰＤＣＣＨおよびＤＭ−ＲＳベースの（Ｒ）−ＰＤＳＣＨ  
いくつかの態様によれば、ＤＭ−ＲＳベースのＲ−ＰＤＣＣＨとＣＲＳベースの（Ｒ）−ＰＤＳＣＨの組合せはほとんど利益をもたらし得ないので、サポートされなくてよい。
【００５４】
いくつかの態様によれば、特にプリコーディング動作がＲ−ＰＤＣＣＨと（Ｒ）−ＰＤＳＣＨの両方に適用される場合には、Ｒ−ＰＤＣＣＨおよび（Ｒ）−ＰＤＳＣＨは、１つのＰＲＢペアの中で多重化され得る。したがって、Ｒ−ＰＤＣＣＨとＲ−ＰＤＳＣＨの両方が復調のためにＤＭ−ＲＳを使う場合、この多重化がサポートされ得る。しかし、Ｒ−ＰＤＣＣＨがＣＲＳベースである場合、Ｒ−ＰＤＣＣＨのためのプリコーディングが不可能であり得る。加えて、ＲＥＧレベルのＲ−ＰＤＣＣＨのインターリービングでは、１つのＲ−ＰＤＣＣＨは複数のＰＲＢにわたり得る。ＣＲＳベースのＲ−ＰＤＣＣＨとＤＭ−ＲＳベースの（Ｒ）−ＰＤＳＣＨとを１つのＰＲＢペアの中で多重化すると、ＲＥＧの定義が複雑にもなり得る。それは、Ｒ−ＰＤＣＣＨに利用可能なＲＥは、ＤＭ−ＲＳのためのＲＥによって無視され得る（すなわち低減され得る）からである。したがって、ＣＲＳベースのＲ−ＰＤＣＣＨとＤＭ−ＲＳベースのＰＤＳＣＨの場合に、同じＰＲＢペアの中で制御とデータとを多重化するのを、サポートする必要はない。
【００５５】
図５に示される表５００は、いくつかの態様による、Ｒ−ＰＤＣＣＨと（Ｒ）−ＰＤＳＣＨとの相互作用を要約する。いくつかの態様によれば、同じＰＲＢペアの中でのＣＲＳベースのＲ−ＰＤＣＣＨとＣＲＳベースのＲ−ＰＤＳＣＨの多重化も、サポートされ得る。
【００５６】
ＤＭ−ＲＳベースのＲ−ＰＤＣＣＨのためのインターリーバ  
ＰＲＢ全体が１つのＲ−ＰＤＣＣＨに対して指定されていると想定され得るので、この場合にはＲＥＧの定義を有する必要はなくてもよい。Ｒ−ＰＤＣＣＨに利用可能なＲＥは、（Ｒ−ＰＤＣＣＨと（Ｒ）−ＰＤＳＣＨとの同じＰＲＢペアの中での多重化をサポートするために）ＤＭ−ＲＳのためのＲＥによって無視される可能性が高くてよく、ＣＲＳ（サブフレームのタイプに応じて）、ＣＳＩ−ＲＳ（サブフレーム中でのＣＳＩ−ＲＳの存在の有無に応じて）のためのＲＥによって無視される可能性があってよい。ＣＲＳおよびＣＳＩ−ＲＳについて、ＲＮは通常、正確なアンテナポートの数と対応するＲＥとを知っている。ＤＭ−ＲＳについて、ＲＮはさらに、（たとえば「卵が先か鶏が先か」という起こり得る問題を避けるために）（Ｒ）−ＰＤＳＣＨのためのＤＭ−ＲＳ  ＲＥの可能な最大の数を想定し得る。
【００５７】
まとめると、ＤＭ−ＲＳベースのＲ−ＰＤＣＣＨについて、Ｒ−ＰＤＣＣＨのためのＰＲＢ中のＲＥは、ＤＭ−ＲＳのためのＲＥによって無視されてよく、ＣＲＳおよび／またはＣＳＩ−ＲＳのためのＲＥによって無視される可能性があってよい。ＤＭ−ＲＳについて、（Ｒ）−ＰＤＳＣＨのためのＤＭ−ＲＳ  ＲＥの上側の（たとえば最大の）可能な数が、想定され得る。
【００５８】
いくつかの態様によれば、Ｒ−ＰＤＣＣＨは、ランク１の送信しか有さないとも想定され得る。Ｒｅｌ−８と同様に、Ｒ−ＰＤＣＣＨは、ＱＰＳＫ変調のみを想定する可能性が高くてよい。
【００５９】
上記の設計は、Ｒ−ＰＤＣＣＨがＤＭ−ＲＳ  ＲＥと速度に関してほぼ一致していることを想定し得る。代替的な手法は、ＤＭ−ＲＳのためのＲ−ＰＤＣＣＨ  ＲＥに相当する、Ｒ−ＰＤＣＣＨ  ＲＥをパンクチャすることであり得る。これによって、ＤＭ−ＲＳ  ＲＥの最高の可能な数を想定する必要はなく、むしろＤＭ−ＲＳ  ＲＥの実際の数が使われる。
【００６０】
上で論じられたＤＭ−ＲＳ  ＲＥの最高の可能な数は、規格の観点からの最高値を指すことがあり、このときＲｅｌ−１０では２４個のＲＥが最高値であり、またはセルの観点からの最高値を指すことがあり、このとき最高値はセルの構成に依存する。ある例として、ＤｅＮＢが最高で２レイヤの送信しかサポートしない場合、１２個のＲＥしか関与し得ない。ＵＥまたはＲＮの観点から、最高値は、ＵＥのカテゴリ（およびセルの構成）に依存してよく、またはさらに、ＵＥの送信（ＴＸ）モードにも依存してよい。たとえば、ＵＥがモード８によって構成される場合、最高で２ランクの送信を行うことができ、１２個のＲＥしか関与し得ない。
【００６１】
ＣＲＳベースのＲ−ＰＤＣＣＨのためのインターリーバ  
ＣＲＳベースのＲ−ＰＤＣＣＨについて、ＰＲＢの中で異なるＲ−ＰＤＣＣＨにわたるインターリービングを行わないこと、またはＲｅｌ−８タイプのＲＥＧレベルのインターリービングのような、様々な可能なインターリーバ動作モードが存在し得る。インターリービングを行わない場合に、ＣＲＳベースのＲ−ＰＤＣＣＨに利用可能なＲＥは、ＤＭ−ＲＳベースのＲ−ＰＤＣＣＨに利用可能なＲＥと大部分が同じである可能性が高くてよい。ＲＥＧレベルのインターリービングの場合、ＣＲＣベースのＲ−ＰＤＣＣＨに利用可能なＲＥは、Ｒ−ＰＤＣＣＨに利用可能なＲＥとは異なるように設計され得る。
【００６２】
いくつかの態様によれば、Ｒ−ＰＤＣＣＨが同じＰＲＢペアの中で（Ｒ）−ＰＤＳＣＨと多重化されない場合、Ｒ−ＰＤＣＣＨを搬送するＰＲＢの中で、ＤＭ−ＲＳポートを無視する必要はない。
【００６３】
いくつかの態様によれば、ＣＲＳベースのＲ−ＰＤＣＣＨについて（ＲＥＧレベルのインターリービングが構成される場合には特に）、Ｒ−ＰＤＣＣＨのためのＰＲＢ中のＲＥは、ＣＲＳおよび／またはＣＳＩ−ＲＳのためのＲＥによって無視される可能性があってよい。
【００６４】
図６は、実際に使われることになるＣＳＩポートの数に関係なく、サポートされるＣＳＩ−ＲＳポートの可能な最高の数に基づいてＣＳＩ−ＲＳに対して指定されたＲＥを無視することによって割り当てられた送信リソースユニット中のＲＥのグループに従って、１つまたは複数のノードのための制御情報を送信するための例示的な動作６００のフローチャートである。ノードのための制御情報は、ＣＲＳベースであり得るＲ−ＰＤＣＣＨを備え得る。たとえば、動作６００は、ドナーｅＮＢ（ＤｅＮＢ）によって実行され得る。ノードは、半二重中継ノードのような中継ノードを備え得る。
【００６５】
動作６００は、６０２において、チャネル状態情報基準信号（ＣＳＩ−ＲＳ）のために使われることになるアンテナポートの数を決定することによって、開始し得る。
【００６６】
６０４において、ｎ個のリソースエレメントのグループが、１つまたは複数の中継ノードのための制御情報の送信のために、送信リソースユニットにおいて割り当てられ得る。６０４における割り当ては、（１）送信リソースユニット中のリソースエレメントから、ＣＳＩ−ＲＳのために使われることになるアンテナポートの数に関係なく、サポートされるＣＳＩ−ＲＳポートの可能な最高の数に基づいてＣＳＩ−ＲＳに対して指定されたリソースエレメントを無視することと、（２）無視した後に送信リソースユニットの中に残っているリソースエレメントの中から、ｎ個のリソースエレメントのグループを決定することとを備え得る。いくつかの態様によれば、無視することは、少なくとも２つのＣＲＳポートに基づいて、ＣＲＳに対して指定されたリソースエレメントを無視することを備え得る。いくつかの態様では、ｎ個のリソースエレメントのグループを決定することは、送信リソースユニットのシンボルに対して、残りのリソースエレメントの中からｎ個の連続的なリソースエレメントのセットを決定することを含み得る。６０４における割り当ては、リソースエレメントの第１のグループに対して、第１の中継ノードのための制御情報を割り当てることと、リソースエレメントの第２のグループに対して、第２の中継ノードのための制御情報を割り当てることとを備え得る。
【００６７】
いくつかの態様では、ＣＳＩ−ＲＳに対して指定されたリソースエレメントの少なくとも１つは、電力が０のＣＳＩ−ＲＳを備え得る。他の態様では、ＣＳＩ−ＲＳに対して指定されたリソースエレメントの少なくとも１つは、電力が０ではないＣＳＩ−ＲＳを備え得る。
【００６８】
送信リソースユニットは、ＰＲＢを備え得る。いくつかの態様では、ＰＲＢは、第２のスロットに先行する第１のスロットを有するサブフレームの第２のスロット中にあってよく、第２のスロットのみが、ＣＳＩ−ＲＳに対して指定されたリソースエレメントを備え得る。
【００６９】
アンテナポートの数は、１個、２個、４個、または８個のアンテナポートを備え得る。いくつかの態様では、サポートされたＣＳＩ−ＲＳポートの最高の可能な数は８であってよく、ｎは４に等しくてよい。
【００７０】
リソースエレメントの各々は、時間と周波数のリソースを備え得る。リソースエレメントの各々のための時間と周波数のリソースは、それぞれ１つのシンボルと１つのサブキャリアとを備え得る。いくつかの態様では、ｎ個のリソースエレメントのグループの各々は、１つのシンボルとｎ個のサブキャリアを備える。
【００７１】
６０６において、中継ノードのための制御情報は、ｎ個のリソースエレメントの割り当てられたグループに従って送信され得る。
【００７２】
上記で説明した動作６００は、図６の対応する機能を実行することが可能な任意の好適な構成要素または他の手段によって実行され得る。たとえば、図６に示される動作６００は、図６Ａに示される構成要素６００Ａに対応する。図６Ａにおいて、ＣＳＩ−ＲＳポート決定ユニット６０２Ａは、チャネル状態情報基準信号（ＣＳＩ−ＲＳ）のために使われることになるアンテナポートの数を決定することができる。リソースエレメントグループ割当器６０４Ａは、上で説明されたように、１つまたは複数の中継ノードのための制御情報の送信のために、送信リソースユニットにおいてｎ個のリソースエレメントのグループを割り当てることができる。送信機６０６Ａ（または送受信機）は、ｎ個のリソースエレメントの割り当てられたグループに従って、中継ノードのための制御情報６０８Ａを送信することができる。
【００７３】
ＲＥＧの定義は、両方のインターリービングモードに対して適用可能であり得る。ＲＥＧの定義は、好ましくは、Ｒｅｌ−８のＲＥＧの定義に可能な限り従い得る。Ｒｅｌ−８では、ＲＥＧの定義は４×１の構造に従い、第１のインデックスは周波数トーンを示し、第２のインデックスはＯＦＤＭシンボルを示す。ＲＥＧはまた、「時間が第１、周波数が第２」という規則に従って番号を付けられる。しかし、Ｒｅｌ−９またはＲｅｌ−１０のＤＭ−ＲＳおよび／またはＣＳＩ−ＲＳを含むＯＦＤＭシンボルでは、ＤＭ−ＲＳまたはＣＳＩ−ＲＳのパターンは、１×２のブロックと２×２のブロックのいずれかを使って構築される。図７は、２個、４個、および８個のＣＳＩ−ＲＳポートに対する、通常のＣＰのための例示的なＲＳパターン７１０、７３０、および７５０をそれぞれ示す。８個のＣＳＩ−ＲＳポートに対するパターン７５０の中にＣＳＩ−ＲＳを含むシンボルについては、同じ４×１の規則を各々の６個の隣接するトーンの中で容易に適用できるが、４個または２個のＣＳＩ−ＲＳポートに対するパターン７３０、７１０では問題はもう少し複雑になる。たとえば、４個のＣＳＩ−ＲＳポートでは、各シンボル内に１０個のＲＥが残される。
【００７４】
いくつかの態様によれば、以下の選択肢を適用できる。  
・  選択肢１：より少数のＣＳＩ−ＲＳポートが実際に使われているとしても、８個のＣＳＩ−ＲＳポートを常に想定して、４個の隣接するトーン内でＲＥＧを構築する。  
・  選択肢２：２×１のブロックを使ってＲＥＧを構築する。  
・  選択肢３：２×２のブロックを使ってＲＥＧを構築する。
【００７５】
選択肢２は、ＳＦＢＣの性質を考慮すると望ましい可能性があり、ＣＳＩ−ＲＳシンボルの中のすべてのＲＥを、Ｒ−ＰＤＣＣＨのために完全に使うことができる。選択肢３は、ＤＭ−ＲＳとＣＳＩ−ＲＳの設計と揃い得るが、異なる形態の送信ダイバーシティを伴い得る（たとえば、空間−時間ブロック符号化（ＳＴＢＣ））。選択肢１は、これらの選択肢の中で最も簡単であり得るが、ＣＳＩ−ＲＳシンボル当たり２個のＲＥ（かつサブフレーム当たり最高で４個のＲＥ）が無駄になる可能性がある。ＲＥＧを番号付けするために、同じ「時間が第１、周波数が第２」の規則を使うことができる。
【００７６】
いくつかの態様によれば、選択肢２を使うと電力の不均衡の問題が起こることがあり、孤立した２×１のブロックが、異なるアンテナのために異なるＰＲＢにわたって交互に使われる（たとえば、アンテナの第１のペアのために偶数番目のＰＲＢ、アンテナの第２のペアのために奇数番目のＰＲＢ）。（Ｒ）−ＰＤＣＣＨのために利用可能なＲＥＧの数を最大にするために、または少なくとも増やすために、そうしたＯＦＤＭシンボルの中のＲＥＧは、２×２のパターンに従って定義され得る。
【００７７】
ある代替形態（Ｒ−ＰＤＣＣＨとＲ−ＰＤＳＣＨの多重化を許容する）として、ＤＭ−ＲＳのための最大のＲＥＧが２４個である場合、ＤＭ−ＲＳを含む隣接するＯＦＤＭシンボルの各ペア内には、２×２のパターンが使われる場合には、ＰＲＢの中に利用可能な３個のＲＥＧ（対して、４×１のパターンを使うと２個のＲＥＧ）が存在し得る。この代替形態は、２×２に対するＳＴＢＣに関与し得る。別の代替形態（Ｒ−ＰＤＣＣＨとＲ−ＰＤＳＣＨの多重化を許容しない）として、ＣＳＩ−ＲＳポートが４個である場合、ＣＳＩ−ＲＳを含む隣接するＯＦＤＭシンボルの各ペア内には、２×２のパターンが使われる場合には、ＰＲＢの中に利用可能な５個のＲＥＧが存在し得る。これは、Ｒｅｌ−８の４×１のパターンが使われる場合の、ＰＲＢ中の４個のＲＥＧと対照的である。
【００７８】
ＲＥＧを番号付けするために、同じ「時間が第１、周波数が第２」の規則を使うことができ、違いは、１×２または２×２のＤＭ−ＲＳ／ＣＳＩ−ＲＳを含むシンボルについての違いであり、２つの隣接するシンボルは１つの単一シンボルとして扱われる。
【００７９】
図８は、８個のＣＳＩ−ＲＳポート（所与のＣＳＩ−ＲＳポートに対する各ＲＥが０〜７の番号を付けられている）を使った例示的なパターン８００における、例示的なＲＥＧ８０２（ＲＥＧ０〜ＲＥＧ３）を示す。このＣＳＩ−ＲＳパターン８００は、上で説明された様々な選択肢に従って、８個のＣＳＩ−ＲＳポートのための、図７のパターン７５０からの可能なパターンの１つを表す。このパターン８００において、ＣＲＳおよびＤＭ−ＲＳは示されないが、存在していてもよい。ＲＥＧ８０２は、例示的なＲＥＧ８２０に示されるように、Ｒｅｌ−８の４×１の構造に従い得る。シンボル９および１０について、使われているＣＳＩ−ＲＳポートが２個か、４個か、または８個かに関係なく、ＲＥＧ８０２は、ＲＥＧ０〜ＲＥＧ３と同じ場所に位置し得る。図７と比較すると、ＲＥＧ０〜ＲＥＧ３の位置は、ＣＳＩ−ＲＳパターン８００に対応するＣＳＩ−ＲＳパターン７１０、７３０のためのＣＳＩ−ＲＳとは干渉しない。
【００８０】
まとめると、ＲＥＧレベルのＲ−ＰＤＣＣＨのインターリービングでは、ＣＳＩ−ＲＳを含むシンボルについて、Ｒ−ＰＤＣＣＨのためのＣＳＩ−ＲＳ  ＲＥを無視すれば、８個のＣＳＩ−ＲＳポート（または可能なＣＳＩ−ＲＳポートの最大の数）を常に想定できる場合、Ｒｅｌ−８のＲＥＧ設計を同様に使うことができる。
【００８１】
いくつかの態様によれば、ＣＲＳベースのＲ−ＰＤＣＣＨとＤＭ−ＲＳベースのＲ−ＰＤＣＣＨの両方について、規格または実装のいずれかによって、ＣＳＩ−ＲＳは、ＤＬ  Ｒ−ＰＤＣＣＨ許可とＵＬ  Ｒ−ＰＤＣＣＨ許可に利用可能なＲＥの数の非対称性を軽減しようとする中で、第２のスロット４０４に限定されることがある（すなわち、第１のスロット４０２では許可されなくてよい）。いくつかの態様によれば、ＤＬ許可は、第１のスロット４０２の中に４個の利用可能なシンボルしか有さないことがあり、ＵＬ許可は、第２のスロット４０４の７個すべての利用可能なシンボル（または最初の６個のシンボル）を有することがあり、ＤＬ許可およびＵＬ許可のためのＲＥの数をもう少し均等にするために、ＣＳＩ−ＲＳが第２のスロットに移され得る。
【００８２】
図９は、実際に使われることになるＣＳＩポートの数に関係なく、サポートされるＣＳＩ−ＲＳポートの可能な最高の数に基づいてＣＳＩ−ＲＳに対して指定されたＲＥを無視することによって割り当てられた送信リソースユニット中のＲＥのグループに基づいて、あるノードのための制御情報を決定するための例示的な動作９００のフローチャートである。動作９００は、ノードによって実行され得る。ノードは、半二重中継ノードのような中継ノードを備え得る。
【００８３】
動作９００は、９０２において、１つまたは複数の中継ノードのための制御情報に割り当てられた、ｎ個のリソースエレメントのグループを備える、少なくとも１つの送信リソースユニットを受信することによって、開始し得る。ｎ個のリソースエレメントのグループと関連付けられる送信リソースユニットの中のリソースエレメントは、ＣＳＩ−ＲＳのために実際に使われるアンテナポートの数に関係なく、サポートされるＣＳＩ−ＲＳポートの最高の可能性のある数に基づいてＣＳＩ−ＲＳに対して指定されたリソースエレメントが無視された後に残っているリソースエレメントから決定され得る。ノードのための制御情報は、ＣＲＳベースであり得るＲ−ＰＤＣＣＨを備え得る。
【００８４】
送信リソースユニットは、ＰＲＢを備え得る。いくつかの態様では、ＰＲＢは、第２のスロットに先行する第１のスロットを有するサブフレームの第２のスロット中にあってよく、第２のスロットのみが、ＣＳＩ−ＲＳに対して指定されたリソースエレメントを備え得る。
【００８５】
いくつかの態様によれば、ｎ個のリソースエレメントのグループは、送信リソースユニットのシンボルに対して、残りのリソースエレメントの中からｎ個の連続的なリソースエレメントのセットを備え得る。いくつかの態様では、リソースエレメントの第１のグループは、第１の中継ノードに割り当てられた制御情報を備えてよく、リソースエレメントの第２のグループは、第２の中継ノードのための制御情報を備えてよい。
【００８６】
アンテナポートの数は、１個、２個、４個、または８個のアンテナポートを備え得る。いくつかの態様では、サポートされたＣＳＩ−ＲＳポートの最高の可能な数は８であってよく、ｎは４に等しくてよい。
【００８７】
いくつかの態様によれば、ｎ個のリソースエレメントのグループと関連付けられる送信リソースユニットの中のリソースエレメントは、少なくとも２つのＣＲＳポートに基づいてＣＳＩ−ＲＳおよびＣＲＳに対して指定されたリソースエレメントが無視された後に残っている、リソースエレメントから決定され得る。
【００８８】
リソースエレメントの各々は、時間と周波数のリソースを備え得る。リソースエレメントの各々のための時間と周波数のリソースは、それぞれ１つのシンボルと１つのサブキャリアとを備え得る。いくつかの態様では、ｎ個のリソースエレメントのグループの各々は、１つのシンボルとｎ個のサブキャリアを備える。
【００８９】
９０４において、ノードの（少なくとも）１つのための制御情報は、ｎ個のリソースエレメントの割り当てられたグループに基づいて決定され得る。制御情報は、様々な復号の候補と様々なフォーマットサイズの少なくとも１つを使って、決定され得る。
【００９０】
９０６において、データ（たとえば（Ｒ）−ＰＤＳＣＨデータ）が、決定された制御情報に基づいて見つけられ得る。いくつかの態様では、ダウンリンク（ＤＬ）データは、制御情報が受信されたのと同じサブフレームに、またはその後のサブフレームに位置し得る。
【００９１】
上記で説明された動作９００は、図９の対応する機能を実行することが可能な任意の好適な構成要素または他の手段によって実行され得る。たとえば、図９に示される動作９００は、図９Ａに示される構成要素９００Ａに対応する。図９Ａでは、受信機９０２Ａ（または送受信機）が、少なくとも１つの送信リソースユニット９０１Ａを受信することができる。制御情報決定ユニット９０４Ａは、送信リソースユニットの中のｎ個のリソースエレメントのグループに基づいて、制御情報を決定することができる。データ探索器９０６Ａは、制御情報決定ユニット９０４Ａから受信された制御情報に基づいて、データを見つけることができる。
【００９２】
インターリービングの深さ  
いくつかの態様によれば、１８個以下のインターリービングの深さ（ＰＲＢの数で測った）という限定されたセットが、（ＵＬとＤＬに対して合計で）ＲＥＧレベルのインターリービングのためにサポートされ得る。そのような限定は、ＰＲＢレベルのインターリービングにも当然適用可能である。
【００９３】
Ｒ−ＰＤＣＣＨ送信のために確保されるＰＲＢのセットは、準静的に構成され得る。しかし、各ＲＮが、確保されたＲ−ＰＤＣＣＨリソースプールの全体のセットまたはサブセットを監視するかどうかは、決定されないままである。前者は、すべてのＲＮが、Ｒ−ＰＤＣＣＨ送信のためのＰＲＢの同じセットを監視するということを示唆する。シグナリングの観点から、Ｒ−ＰＤＣＣＨ構成の１つだけのセル特有のセットが望まれ得る。後者は、監視はＲＮ固有であってよく、追加のレイヤ３シグナリングを使って、Ｒ−ＰＤＣＣＨリソース管理におけるより大きな柔軟性を実現するということを、示唆する（ＲＮ固有のＲ−ＰＤＣＣＨ構成が各ＲＮに対して望まれ得る）。Ｒｅｌ−１０では、前者を基本として考えるのが妥当だが、今後のリリースでは後者がさらに考慮され得る。
【００９４】
同じＲ−ＰＤＣＣＨリソース構成は、ＤＬ許可とＵＬ許可の両方に適用できる。この場合、構成は、ＰＲＢペアのユニットにおいて行われる。
【００９５】
したがって、インターリービングの深さは、（ＰＲＢの中の）可能なＲ−ＰＤＣＣＨの構成の数に等しい。最大で１８個のインターリービングの深さに対応するために、５ビットが示される。１つの単純化は、４ビットの構成を使うことである。しかし、Ｒ−ＰＤＣＣＨリソースプールの構成は、Ｒ−ＰＤＣＣＨのためのＰＲＢの数を与えるだけではなく、ＰＲＢの位置も与える。集中したＰＲＢと分散したＰＲＢの両方が可能である。その結果、Ｒ−ＰＤＣＣＨリソース割り当てに関与するビットの総数は、はるかに大きくなる。Ｒ−ＰＤＣＣＨのためのＰＲＢの数の例は、  
｛１，２，３，４，５，６，８，１０，１２，１６，２０，２４｝  
であってよく、少数のＰＲＢに対しては良好な精度を規定することができ、ＰＲＢのインクリメントは可能性のあるＣＣＥレベル（１、２、４、および８）と揃えられてよく、最高で２４％のＲ−ＰＤＣＣＨ制御オーバーヘッドを、Ｒｅｌ−８の制御オーバーヘッドと揃えることができる（１４個のうちの３個、すなわち２１％）。再構成における曖昧さの可能性と、ブラインド検出の可能性とを排除するために、Ｒ−ＰＤＣＣＨリソース再構成の間に、Ｒ−ＰＤＣＣＨリソースの少なくとも最低限のセットを変化しないようにするのが、好ましいことがある。
【００９６】
ＤＣＩフォーマット１Ａは常にＣＲＳに基づき得るが、モード依存のＤＣＩは、ＣＲＳベースまたはＤＭ−ＲＳベースの復調によって構成され得る。１つのセルにおいて、異なるＤＣＩに対して異なるインターリービングモードをサポートするのは、望ましくないことがある。したがって、いくつかの態様によれば、限られた数の可能な組合せしか存在しない。
【００９７】
本明細書で提示されるインターリーバの設計によれば、ＤＣＩフォーマット１Ａがフォールバック動作のために使われ得る場合、ＲＮバックホールにおいて、Ｒｅｌ−１０のＵＥに対して規定される同じ送信モードがサポートされ得る。少なくとも１つの非ＭＢＳＦＮサブフレームは、ＤＬバックホールサブフレームの一部として構成され得る。同じＲｅｌ−８の送信ダイバーシティ方式が使われる場合、ＤＬバックホールにおいて、ＤＣＩフォーマット１Ａは非ＭＢＳＦＮサブフレームにしか存在しないことがある。ＤＭ−ＲＳベースのＲ−ＰＤＣＣＨとＣＲＳベースの（Ｒ）−ＰＤＳＣＨの組合せは、サポートされないことがある。同じＰＲＢペアの中でのＣＲＳベースのＲ−ＰＤＣＣＨと（Ｒ）−ＰＤＳＣＨの多重化は、サポートされないことがある。ＱＰＳＫは、Ｒ−ＰＤＣＣＨに対してサポートされ得る。ＤＭ−ＲＳベースのＲ−ＰＤＣＣＨについて、Ｒ−ＰＤＣＣＨのためのＰＲＢ中のＲＥは、ＤＭ−ＲＳのためのＲＥを無視してよく、ＣＲＳおよび／またはＣＳＩ−ＲＳのためのＲＥを無視する可能性があってよい。ＤＭ−ＲＳについて、（Ｒ）−ＰＤＳＣＨのためのＤＭ−ＲＳ  ＲＥのたとえば最大の可能な数が、想定され得る。
【００９８】
ＣＲＳ−ベースのＲ−ＰＤＣＣＨについて、Ｒ−ＰＤＣＣＨのためのＰＲＢ中のＲＥは、ＣＲＳおよび／またはＣＳＩ−ＲＳのためのＲＥを無視してよい。ＣＳＩ−ＲＳを含むシンボルについて、Ｒ−ＰＤＣＣＨのためのＣＳＩ−ＲＳ  ＲＥを無視すれば、８個のＣＳＩ−ＲＳポート（すなわちＣＳＩ−ＲＳポートの最大の数）を想定できる場合、ＬＴＥ  Ｒｅｌ−８のＲＥＧ設計を同様に使うことができる。Ｒｅｌ−１０では、準静的なＲ−ＰＤＣＣＨリソースのセットは、セル固有であってよく、ＰＲＢペアのユニットの中にあってよい。Ｒ−ＰＤＣＣＨのインターリービングの深さは、Ｒ−ＰＤＣＣＨに対して設定されたＰＲＢの数に関連し得る。
【００９９】
上で説明された方法の様々な動作は、対応する機能を実行することが可能な任意の適切な手段によって実行可能である。そうした手段は、様々な（１つもしくは複数の）ハードウェア構成要素および／もしくは（１つもしくは複数の）ソフトウェア構成要素、ならびに／または、限定はされないが、回路、特定用途向け集積回路（ＡＳＩＣ）、もしくはプロセッサを含む（１つもしくは複数の）モジュールを含み得る。一般に、図に示される動作がある場合、それらの動作は、同様の番号をもつ対応する同等のミーンズプラスファンクション構成要素を有し得る。
【０１００】
たとえば、送信するための手段は、図２に示される、送信機システム２１０の送信機（たとえば送信機２２２）および／またはアンテナ２２４、または、受信機システム２５０の送信機（たとえば送信機２５４）および／またはアンテナ２５２を備え得る。受信するための手段は、図２に示される、受信機システム２５０の受信機（たとえば受信機２５４）および／またはアンテナ２５２、または、送信機システム２１０の受信機（たとえば受信機２２２）および／またはアンテナ２２４を備え得る。処理するための手段、判定するための手段、割り当てるための手段、無視するための手段、または見つけるための手段は、図２に示される、受信機システム２５０のＲＸデータプロセッサ２６０、プロセッサ２７０、および／もしくはＴＸデータプロセッサ２３８、または、送信機システム２１０のＲＸデータプロセッサ２４２、プロセッサ２３０、および／もしくはＴＸデータプロセッサ２１４のような、少なくとも１つのプロセッサを含み得る、処理システムを備え得る。
【０１０１】
開示したプロセスにおけるステップの特定の順序または階層は、例示的な手法の一例であることを理解されたい。設計の選好に基づいて、プロセス中のステップの具体的な順序または階層は、本開示の範囲内のまま再配置できることを理解されたい。添付の方法クレームは、様々なステップの要素を例示的な順序で提示したものであり、提示された特定の順序または階層に限定されるものではない。
【０１０２】
情報および信号は、様々な異なる技術および技法のいずれかを使用して表せることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光子、またはそれらの任意の組合せによって表され得る。
【０１０３】
さらに、本明細書で開示した実施形態に関して説明した様々な例示的な論理ブロック、モジュール、回路、およびアルゴリズムステップは、電子ハードウェア、コンピュータソフトウェア、または両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明した機能を具体的な適用例ごとに様々な方法で実装することができるが、そのような実装の決定は、本開示の範囲からの逸脱を生じるものと解釈すべきではない。
【０１０４】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲート回路もしくはトランジスタ論理回路、個別ハードウェア構成要素、または、本明細書で説明する機能を実行するように設計されたそれらの任意の組合せを用いて、実装または実行され得る。汎用プロセッサはマイクロプロセッサであってよいが、代替として、プロセッサは、任意の従来のプロセッサ、コントローラ、マイクロコントローラ、または状態機械であってもよい。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装されてもよい。
【０１０５】
本明細書で開示した実施形態に関して説明した方法またはアルゴリズムのステップは、直接ハードウェアで実施されてもよく、プロセッサによって実行されるソフトウェアモジュールで実施されてもよく、またはその２つの組合せで実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐してよい。例示的な記憶媒体は、プロセッサが記憶媒体から情報を読み取り、記憶媒体に情報を書き込むことができるようにプロセッサに結合される。代替として、記憶媒体はプロセッサと一体化してよい。プロセッサおよび記憶媒体はＡＳＩＣ中に常駐し得る。ＡＳＩＣは、ユーザ端末内に常駐し得る。代替として、プロセッサおよび記憶媒体は、ユーザ端末内に個別構成要素として常駐し得る。
【０１０６】
開示する実施形態の前述の説明は、当業者が本開示を実施または使用できるようにするために与えたものである。これらの実施形態への様々な修正は当業者には容易に明らかであり、本明細書で定義した一般原理は、本開示の趣旨または範囲から逸脱することなく他の実施形態に適用できる。したがって、本開示は、本明細書で示した実施形態に限定されるものではなく、本明細書で開示した原理および新規の特徴に一致する最も広い範囲を与られるべきである。
以下に、本願出願の当初の特許請求の範囲に記載された発明を付記する。
［Ｃ１］  ワイヤレス通信のための方法であって、
チャネル状態情報基準信号（ＣＳＩ−ＲＳ）のために使われることになるアンテナポートの数を決定することと、
１つまたは複数のノードのための制御情報の送信のために、送信リソースユニットにおいてｎ個のリソースエレメントのグループを割り当てることと、ここで、前記割り当てることは、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視することと、
前記無視することの後に前記送信リソースユニットに残っている前記リソースエレメントの中から、ｎ個のリソースエレメントの前記グループを決定することと
を備える、
前記ノードのための前記制御情報を、ｎ個のリソースエレメントの前記割り当てられたグループに従って送信することとを備える、方法。
［Ｃ２］  サポートされるＣＳＩ−ＲＳポートの前記最高の可能な数は、８である、Ｃ１に記載の方法。
［Ｃ３］  ｎ＝４である、Ｃ２に記載の方法。
［Ｃ４］  前記無視することは、少なくとも２つの共通基準信号（ＣＲＳ）ポートに基づいて、ＣＲＳに対して指定された前記リソースエレメントを無視することをさらに備える、Ｃ１に記載の方法。
［Ｃ５］  前記ノードのための前記制御情報は、中継物理ダウンリンク制御チャネル（Ｒ−ＰＤＣＣＨ）を備える、Ｃ１に記載の方法。
［Ｃ６］  前記Ｒ−ＰＤＣＣＨは、共通基準信号（ＣＲＳ）ベースのＲ−ＰＤＣＣＨを備える、Ｃ５に記載の方法。
［Ｃ７］  前記送信リソースユニットは、物理リソースブロック（ＰＲＢ）を備える、Ｃ１に記載の方法。
［Ｃ８］  前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、Ｃ７に記載の方法。
［Ｃ９］  前記リソースエレメントの各々は、時間と周波数のリソースを備える、Ｃ１に記載の方法。
［Ｃ１０］  前記リソースエレメントの各々のための前記時間と周波数のリソースは、それぞれ１つのシンボルと１つのサブキャリアとを備える、Ｃ９に記載の方法。
［Ｃ１１］  ｎ個のリソースエレメントの前記グループの各々は、１つのシンボルとｎ個のサブキャリアとを備える、Ｃ１０に記載の方法。
［Ｃ１２］  ｎ個のリソースエレメントの前記グループを決定することは、前記送信リソースユニットのシンボルに対して、前記残りのリソースエレメントの中からのｎ個の連続的なリソースエレメントのセットを決定することを備える、Ｃ１に記載の方法。
［Ｃ１３］  アンテナポートの前記数は、１個、２個、４個、または８個のアンテナポートを備える、Ｃ１に記載の方法。
［Ｃ１４］  前記割り当てることは、
第１の中継ノードのための制御情報を、リソースエレメントの第１のグループに割り当てることと、
第２の中継ノードのための制御情報を、リソースエレメントの第２のグループに割り当てることとを備える、Ｃ１に記載の方法。
［Ｃ１５］  前記ＣＳＩ−ＲＳに対して指定された前記リソースエレメントの少なくとも１つは、電力が０のＣＳＩ−ＲＳを備える、Ｃ１に記載の方法。
［Ｃ１６］  前記ＣＳＩ−ＲＳに対して指定された前記リソースエレメントの少なくとも１つは、電力が０ではないＣＳＩ−ＲＳを備える、Ｃ１に記載の方法。
［Ｃ１７］  前記ノードは、半二重中継ノードを備える、Ｃ１に記載の方法。
［Ｃ１８］  ワイヤレス通信のための装置であって、
チャネル状態情報基準信号（ＣＳＩ−ＲＳ）のために使われることになるアンテナポートの数を決定し、
１つまたは複数のノードのための制御情報の送信のために、送信リソースユニットにおいてｎ個のリソースエレメントのグループを割り当てる
ように構成される処理システムと、ここで、前記処理システムは、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視することと、
前記無視することの後に前記送信リソースユニットに残っている前記リソースエレメントの中から、ｎ個のリソースエレメントの前記グループを決定することと
によって、ｎ個のリソースエレメントの前記グループを割り当てるように構成される、
前記ノードのための前記制御情報を、ｎ個のリソースエレメントの前記割り当てられたグループに従って送信するように構成される送信機とを備える、装置。
［Ｃ１９］  サポートされるＣＳＩ−ＲＳポートの前記最高の可能な数は、８である、Ｃ１８に記載の装置。
［Ｃ２０］  ｎ＝４である、Ｃ１９に記載の装置。
［Ｃ２１］  前記無視することは、少なくとも２つの共通基準信号（ＣＲＳ）ポートに基づいて、ＣＲＳに対して指定された前記リソースエレメントを無視することをさらに備える、Ｃ１８に記載の装置。
［Ｃ２２］  前記ノードのための前記制御情報は、中継物理ダウンリンク制御チャネル（Ｒ−ＰＤＣＣＨ）を備える、Ｃ１８に記載の装置。
［Ｃ２３］  前記Ｒ−ＰＤＣＣＨは、共通基準信号（ＣＲＳ）ベースのＲ−ＰＤＣＣＨを備える、Ｃ２２に記載の装置。
［Ｃ２４］  前記送信リソースユニットは、物理リソースブロック（ＰＲＢ）を備える、Ｃ１８に記載の装置。
［Ｃ２５］  前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、Ｃ２４に記載の装置。
［Ｃ２６］  前記リソースエレメントの各々は、時間と周波数のリソースを備える、Ｃ１８に記載の装置。
［Ｃ２７］  前記リソースエレメントの各々のための前記時間と周波数のリソースは、それぞれ１つのシンボルと１つのサブキャリアとを備える、Ｃ２６に記載の装置。
［Ｃ２８］  ｎ個のリソースエレメントの前記グループの各々は、１つのシンボルとｎ個のサブキャリアとを備える、Ｃ２７に記載の装置。
［Ｃ２９］  ｎ個のリソースエレメントの前記グループを決定することは、前記送信リソースユニットのシンボルに対して、前記残りのリソースエレメントの中からのｎ個の連続的なリソースエレメントのセットを決定することを備える、Ｃ１８に記載の装置。
［Ｃ３０］  アンテナポートの前記数は、１個、２個、４個、または８個のアンテナポートを備える、Ｃ１８に記載の装置。
［Ｃ３１］  前記処理システムは、
第１の中継ノードのための制御情報を、リソースエレメントの第１のグループに割り当てることと、
第２の中継ノードのための制御情報を、リソースエレメントの第２のグループに割り当てることと
によって、ｎ個のリソースエレメントの前記グループを割り当てるように構成される、Ｃ１８に記載の装置。
［Ｃ３２］  前記ＣＳＩ−ＲＳに対して指定された前記リソースエレメントの少なくとも１つは、電力が０のＣＳＩ−ＲＳを備える、Ｃ１８に記載の装置。
［Ｃ３３］  前記ＣＳＩ−ＲＳに対して指定された前記リソースエレメントの少なくとも１つは、電力が０ではないＣＳＩ−ＲＳを備える、Ｃ１８に記載の装置。
［Ｃ３４］  前記ノードは、半二重中継ノードを備える、Ｃ１８に記載の装置。
［Ｃ３５］  ワイヤレス通信のための装置であって、
チャネル状態情報基準信号（ＣＳＩ−ＲＳ）のために使われることになるアンテナポートの数を決定するための手段と、
１つまたは複数のノードのための制御情報の送信のために、送信リソースユニットにおいてｎ個のリソースエレメントのグループを割り当てるための手段と、ここで、前記割り当てるための手段は、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視し、
前記送信リソースユニットに残っている前記リソースエレメントの中から、ｎ個のリソースエレメントの前記グループを決定する
ように構成される、
ｎ個のリソースエレメントの前記割り当てられたグループに従って前記ノードのための前記制御情報を送信するための手段とを備える、装置。
［Ｃ３６］  コンピュータ可読媒体を備える、ワイヤレス通信のためのコンピュータプログラム製品であって、前記コンピュータ可読媒体は、
チャネル状態情報基準信号（ＣＳＩ−ＲＳ）のために使われることになるアンテナポートの数を決定するためのコードと、
１つまたは複数のノードのための制御情報の送信のために、送信リソースユニットにおいてｎ個のリソースエレメントのグループを割り当てるためのコードと、ここで、前記割り当てることは、
前記送信リソースユニットの中のリソースエレメントから、前記ＣＳＩ−ＲＳのために使われることになるアンテナポートの前記数に関係なく、サポートされるＣＳＩ−ＲＳポートの最高の可能な数に基づいて前記ＣＳＩ−ＲＳに対して指定されたリソースエレメントを無視することと、
前記無視することの後に前記送信リソースユニットに残っている前記リソースエレメントの中から、ｎ個のリソースエレメントの前記グループを決定することと
を備え、
前記ノードのための前記制御情報を、ｎ個のリソースエレメントの前記割り当てられたグループに従って送信することとを備える、コンピュータプログラム製品。
［Ｃ３７］  １つまたは複数のノードのための制御情報に割り当てられたｎ個のリソースエレメントのグループを備える、少なくとも１つの送信リソースユニットを受信することと、ここで、ｎ個のリソースエレメントの前記グループと関連付けられる前記送信ユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定される、
ｎ個のリソースエレメントの前記割り当てられたグループに基づいて前記ノードのうちの１つのための前記制御情報を決定することと、
前記決定された制御情報に基づいてデータを見つけることとを備える、ワイヤレス通信のための方法。
［Ｃ３８］  サポートされるＣＳＩ−ＲＳポートの前記最高の可能な数は、８である、Ｃ３７に記載の方法。
［Ｃ３９］  ｎ＝４である、Ｃ３８に記載の方法。
［Ｃ４０］  ｎ個のリソースエレメントの前記グループと関連付けられる前記送信リソースユニットの中の前記リソースエレメントは、少なくとも２つの共通基準信号（ＣＲＳ）ポートに基づいて前記ＣＳＩ−ＲＳおよびＣＲＳに対して指定された前記リソースエレメントが無視された後に残っている前記リソースエレメントから決定される、Ｃ３７に記載の方法。
［Ｃ４１］  前記ノードのための前記制御情報は、中継物理ダウンリンク制御チャネル（Ｒ−ＰＤＣＣＨ）を備える、Ｃ３７に記載の方法。
［Ｃ４２］  前記Ｒ−ＰＤＣＣＨは、共通基準信号（ＣＲＳ）ベースのＲ−ＰＤＣＣＨを備える、Ｃ４１に記載の方法。
［Ｃ４３］  前記送信リソースユニットは、物理リソースブロック（ＰＲＢ）を備える、Ｃ３７に記載の方法。
［Ｃ４４］  前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、Ｃ４３に記載の方法。
［Ｃ４５］  前記リソースエレメントの各々が、時間と周波数のリソースを備える、Ｃ３７に記載の方法。
［Ｃ４６］  前記リソースエレメントの各々のための前記時間と周波数のリソースは、それぞれ１つのシンボルと１つのサブキャリアとを備える、Ｃ４５に記載の方法。
［Ｃ４７］  ｎ個のリソースエレメントの前記グループの各々は、１つのシンボルとｎ個のサブキャリアとを備える、Ｃ４６に記載の方法。
［Ｃ４８］  ｎ個のリソースエレメントの前記グループは、前記送信リソースユニットのシンボルに対して、前記残りのリソースエレメントの中からのｎ個の連続的なリソースエレメントのセットを備える、Ｃ３７に記載の方法。
［Ｃ４９］  アンテナポートの前記数は、１個、２個、４個、または８個のアンテナポートを備える、Ｃ３７に記載の方法。
［Ｃ５０］  前記制御情報を決定することは、異なる復号の候補と異なるフォーマットサイズの少なくとも１つを使って、前記制御情報を決定することを備える、Ｃ３７に記載の方法。
［Ｃ５１］  前記ノードは、半二重中継ノードを備える、Ｃ３７に記載の方法。
［Ｃ５２］  ワイヤレス通信のための装置であって、
１つまたは複数のノードのための制御情報に割り当てられたｎ個のリソースエレメントのグループを備える、少なくとも１つの送信リソースユニットを受信するように構成される受信機と、ここで、ｎ個のリソースエレメントの前記グループと関連付けられる前記送信リソースユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定され、
ｎ個のリソースエレメントの前記割り当てられたグループに基づいて、前記ノードのうちの１つである、前記装置のための前記制御情報を決定し、
前記決定された制御情報に基づいてデータを見つける
ように構成される、処理システムとを備える、装置。
［Ｃ５３］  サポートされるＣＳＩ−ＲＳポートの前記最高の可能な数は、８である、Ｃ５２に記載の装置。
［Ｃ５４］  ｎ＝４である、Ｃ５３に記載の装置。
［Ｃ５５］  ｎ個のリソースエレメントの前記グループと関連付けられる前記送信リソースユニットの中の前記リソースエレメントは、少なくとも２つの共通基準信号（ＣＲＳ）ポートに基づいて前記ＣＳＩ−ＲＳおよびＣＲＳに対して指定された前記リソースエレメントが無視された後に残っている前記リソースエレメントから決定される、Ｃ５２に記載の装置。
［Ｃ５６］  前記ノードのための前記制御情報は、中継物理ダウンリンク制御チャネル（Ｒ−ＰＤＣＣＨ）を備える、Ｃ５２に記載の装置。
［Ｃ５７］  前記Ｒ−ＰＤＣＣＨは、共通基準信号（ＣＲＳ）ベースのＲ−ＰＤＣＣＨを備える、Ｃ５６に記載の装置。
［Ｃ５８］  前記送信リソースユニットは、物理リソースブロック（ＰＲＢ）を備える、Ｃ５２に記載の装置。
［Ｃ５９］  前記ＰＲＢは、第２のスロットに先行する第１のスロットを有するサブフレームの前記第２のスロット中にあり、前記第２のスロットのみが、前記ＣＳＩ−ＲＳに対して指定された前記リソースエレメントを備える、Ｃ５８に記載の装置。
［Ｃ６０］  前記リソースエレメントの各々は、時間と周波数のリソースを備える、Ｃ５２に記載の装置。
［Ｃ６１］  前記リソースエレメントの各々のための前記時間と周波数のリソースは、それぞれ１つのシンボルと１つのサブキャリアとを備える、Ｃ６０に記載の装置。
［Ｃ６２］  ｎ個のリソースエレメントの前記グループの各々は、１つのシンボルとｎ個のサブキャリアとを備える、Ｃ６１に記載の装置。
［Ｃ６３］  ｎ個のリソースエレメントの前記グループは、前記送信リソースユニットのシンボルに対して、前記残りのリソースエレメントの中からｎ個の連続的なリソースエレメントのセットを備える、Ｃ５２に記載の装置。
［Ｃ６４］  アンテナポートの前記数は、１個、２個、４個、または８個のアンテナポートを備える、Ｃ５２に記載の装置。
［Ｃ６５］  前記処理システムは、異なる復号の候補と異なるフォーマットサイズの少なくとも１つを使って、前記制御情報を決定するように構成される、Ｃ５２に記載の装置。
［Ｃ６６］  前記ノードは、半二重中継ノードを備える、Ｃ５２に記載の装置。
［Ｃ６７］  ワイヤレス通信のための装置であって、
１つまたは複数のノードのための制御情報に割り当てられたｎ個のリソースエレメントのグループを備える、少なくとも１つの送信リソースユニットを受信するための手段と、ここで、ｎ個のリソースエレメントの前記グループと関連付けられる前記送信リソースユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定される、
ｎ個のリソースエレメントの前記割り当てられたグループに基づいて、前記ノードのうちの１つである、前記装置のための前記制御情報を決定するための手段と、
前記決定された制御情報に基づいてデータを見つけるための手段とを備える、ワイヤレス通信のための装置。
［Ｃ６８］  コンピュータ可読媒体を備える、ワイヤレス通信のためのコンピュータプログラム製品であって、前記コンピュータ可読媒体は、
１つまたは複数のノードのための制御情報に割り当てられたｎ個のリソースエレメントのグループを備える、少なくとも１つの送信リソースユニットを受信するためのコードと、ここで、ｎ個のリソースエレメントの前記グループと関連付けられる前記送信リソースユニット中のリソースエレメントは、チャネル状態情報基準信号（ＣＳＩ−ＲＳ）のために実際に使われるアンテナポートの数に関係なく、サポートされるＣＳＩ−ＲＳポートの最高の可能な数に基づいて前記ＣＳＩ−ＲＳに対して指定された前記リソースエレメントが無視された後に残っている前記リソースエレメントから決定される、
ｎ個のリソースエレメントの前記割り当てられたグループに基づいて前記ノードのうちの１つのための前記制御情報を決定するためのコードと、
前記決定された制御情報に基づいてデータを見つけるためのコードとを備える、コンピュータプログラム製品。
【図１】
0005620004.tif 000002
【図２】
0005620004.tif 000003
【図３】
0005620004.tif 000004
【図４】
0005620004.tif 000005
【図５】
0005620004.tif 000006
【図６】
0005620004.tif 000007
【図６Ａ】
0005620004.tif 000008
【図７】
0005620004.tif 000009
【図８】
0005620004.tif 000010
【図９】
0005620004.tif 000011
【図９Ａ】
0005620004.tif 000012